(57)【要約】    【課題】      無線ＬＡＮ基地局制御装置と無線ＬＡＮ基地局装置との間の制御の確実性を増し、通信の安定性、安全性を向上することができる通信システム、無線ＬＡＮ基地局制御装置および無線ＬＡＮ基地局装置を提供すること。    【解決手段】  通信システム１０において、ＡＰ制御装置１００と無線ＬＡＮ基地局装置２００との間に複数のデータトンネルを形成し、かつ、フレームの種別（制御用データフレーム、データフレームなど）に応じてデータトンネルを使い分けることにより、ＡＰ制御フレームが無線ＬＡＮ基地局装置２００に送達する確実性が増す結果、ＡＰ制御装置１００と無線ＬＡＮ基地局装置２００との間の制御の確実性が増し、通信システム１０における通信の安定性、安全性を向上することができる。  【選択図】      図１
2006050520.tif 000002
【特許請求の範囲】
【請求項１】
無線ＬＡＮ基地局装置と、
前記無線ＬＡＮ基地局装置との間に複数のデータトンネルを形成するトンネル形成管理手段と、送信データの種別に応じて前記データトンネルを使い分けて送信する制御手段と、を具備する無線ＬＡＮ基地局制御装置と、
を具備することを特徴とする通信システム。
【請求項２】
前記トンネル形成管理手段は、前記無線ＬＡＮ基地局装置の基地局ＭＡＣアドレスと自装置の制御局ＭＡＣアドレスとにより規定される第１のデータトンネルの他に、前記基地局ＭＡＣアドレス以外の前記無線ＬＡＮ基地局装置の基地局識別情報と前記制御局ＭＡＣアドレスとにより第２のデータトンネルを形成することを特徴とする請求項１記載の通信システム。
【請求項３】
前記トンネル形成管理手段は、前記基地局識別情報として、ＢＳＳＩＤを利用することを特徴とする請求項２記載の通信システム。
【請求項４】
前記制御手段は、制御データを前記第１のデータトンネルを用いて送信し、前記送信データ以外のデータを前記第２のデータトンネルを用いて送信することを特徴とする請求項２記載の通信システム。
【請求項５】
前記トンネル形成管理手段は、データトンネル識別情報に応じた前記複数のデータトンネルを形成することを特徴とする請求項１記載の通信システム。
【請求項６】
前記無線ＬＡＮ基地局装置を複数備え、
前記トンネル形成管理手段は、異なる前記無線ＬＡＮ基地局装置との間に形成されたデータトンネルにトンネルグループ識別情報を付加し当該トンネルグループ識別情報に応じた仮想ＬＡＮを形成することを特徴とする請求項１記載の通信システム。
【請求項７】
複数のデータトンネルを形成するトンネル形成管理手段と、
送信データの種別に応じて前記データトンネルを使い分けて送信する制御手段と、
を具備することを特徴とする無線ＬＡＮ基地局制御装置。
【請求項８】
前記トンネル形成管理手段は、前記無線ＬＡＮ基地局装置の基地局ＭＡＣアドレスと自装置の制御局ＭＡＣアドレスとにより規定される第１のデータトンネルの他に、前記基地局ＭＡＣアドレス以外の前記無線ＬＡＮ基地局装置の基地局識別情報と前記制御局ＭＡＣアドレスとにより第２のデータトンネルを形成することを特徴とする請求項７記載の無線ＬＡＮ基地局制御装置。
【請求項９】
前記トンネル形成管理手段は、前記基地局識別情報として、ＢＳＳＩＤを利用することを特徴とする請求項８記載の無線ＬＡＮ基地局制御装置。
【請求項１０】
前記制御手段は、制御データを前記第１のデータトンネルを用いて送信し、前記送信データ以外のデータを前記第２のデータトンネルを用いて送信することを特徴とする請求項８記載の無線ＬＡＮ基地局制御装置。
【請求項１１】
前記トンネル形成管理手段は、データトンネル識別情報に応じた前記複数のデータトンネルを形成することを特徴とする請求項７記載の無線ＬＡＮ基地局制御装置。
【請求項１２】
前記トンネル形成管理手段は、異なる無線ＬＡＮ基地局装置との間に形成されたデータトンネルにトンネルグループ識別情報を付加し当該トンネルグループ識別情報に応じた仮想ＬＡＮを形成することを特徴とする請求項７記載の無線ＬＡＮ基地局制御装置。
【請求項１３】
複数のデータトンネルを形成するトンネル形成管理手段と、
送信データの種別に応じて前記データトンネルを使い分けて送信する制御手段と、
を具備することを特徴とする無線ＬＡＮ基地局装置。
【請求項１４】
前記トンネル形成管理手段は、自装置の基地局ＭＡＣアドレスと制御局ＭＡＣアドレスとにより規定される第１のデータトンネルの他に、前記基地局ＭＡＣアドレス以外の基地局識別情報と前記制御局ＭＡＣアドレスとにより第２のデータトンネルを形成することを特徴とする請求項１３記載の無線ＬＡＮ基地局装置。
【請求項１５】
前記トンネル形成管理手段は、前記基地局識別情報として、ＢＳＳＩＤを利用することを特徴とする請求項１４記載の無線ＬＡＮ基地局装置。
【請求項１６】
前記制御手段は、制御データを前記第１のデータトンネルを用いて送信し、前記送信データ以外のデータを前記第２のデータトンネルを用いて送信することを特徴とする請求項１４記載の無線ＬＡＮ基地局装置。
【請求項１７】
前記トンネル形成管理手段は、データトンネル識別情報に応じた前記複数のデータトンネルを形成することを特徴とする請求項１３記載の無線ＬＡＮ基地局装置。
【発明の詳細な説明】
【技術分野】
【０００１】
本発明は、通信システム、無線ＬＡＮ基地局制御装置および無線ＬＡＮ基地局装置に関し、特に無線ＬＡＮに係る通信システム、これを構成する無線ＬＡＮ基地局制御装置および無線ＬＡＮ基地局装置に関する。
【背景技術】
【０００２】
近年、無線ＬＡＮ（IEEE802.11規格）の普及が進み、公衆ネットワークや企業ネットワークにおいて大規模な無線ＬＡＮネットワークシステムが構築されるようになっている。それに従って、アクセスポイント（ＡＰ）、例えば無線ＬＡＮ基地局装置を個別に設定し設置していく方法から、複数の無線ＬＡＮ基地局装置と接続したＡＰ制御装置により、このＡＰ制御装置、例えば無線ＬＡＮ基地局制御装置が無線ＬＡＮ基地局装置の自動設定、障害管理、統計情報の収集などを一括して行う方法に移行することが検討されている。この検討は、国際標準化団体であるＩＥＴＦ（Internet Engineering Task Force）やＩＥＥＥ８０２．１１ワーキンググループなどにより行われており、標準化の策定が進められている。
【０００３】
そこで、無線ＬＡＮフレーム（802.11規格）とＥｔｈｅｒｎｅｔ（登録商標）フレームとの間のブリッジ処理を無線ＬＡＮ基地局装置により行わずに、上位のＡＰ制御装置において行うことや、認証のポートの開閉箇所も無線ＬＡＮ基地局装置からＡＰ制御装置に移したアーキテクチャが検討されている。このようなアーキテクチャにおいて、ＩＥＴＦのＣＡＰＷＡＰワーキンググループでは、ＡＰを管理するプロトコルの一つとして、ＬＷＡＰＰ（light weight access protocol）が提案されている。このＬＷＡＰＰでは、ＡＰ制御装置が無線ＬＡＮ基地局装置に対して、設定情報の自動設定、障害管理、統計情報収集、暗号鍵情報の設定などの制御を行っている。
【０００４】
ここで提案されている通信システムにおいては、それらの制御を行うために、ＡＰ制御装置と無線ＬＡＮ基地局装置との間のイーサネット（登録商標）トンネルを用いた通信が規定されている（非特許文献１参照）。このイーサネット（登録商標）トンネルは、送信元ＭＡＣアドレスと宛先ＭＡＣアドレスとの組で決定される。ＬＷＡＰＰでは、イーサネット（登録商標）トンネルの送信元ＭＡＣアドレスに送信元のインタフェースのＭＡＣアドレスが設定され、また、宛先ＭＡＣアドレスには送信先のインタフェースのＭＡＣアドレスが設定されることが記述されている。また、送信元のインタフェースに複数のＭＡＣアドレスが付与されている場合には、どのＭＡＣアドレスが設定されるかは実装次第である。
【０００５】
ところで、従来の通信システムにおいて、ＡＰ制御装置や無線ＬＡＮ基地局装置などが持つインタフェースにおいては、１つのインタフェースに１つのＭＡＣアドレスが設定されており、このインタフェースのＭＡＣアドレスにより通信が行われる。このため、ＡＰ制御装置と無線ＬＡＮ基地局装置との間で通信を行う場合には、１つのデータトンネル（例えば、イーサネット（登録商標）トンネル）により通信が行われる。
【０００６】
そのため、ＡＰ制御装置と無線ＬＡＮ基地局装置との間で遣り取りされる制御用フレームとこの制御用フレーム以外のデータ用フレームとが、同一のデータトンネルで扱われる。
【非特許文献１】IETFドラフト  draft-ohara-capwap-lwapp-00.txt  「Light Weight Access Point Protocol」
【発明の開示】
【発明が解決しようとする課題】
【０００７】
しかしながら、従来の通信システムにおいては、制御用フレームとこの制御用フレーム以外のデータ用フレームとが同一のデータトンネルで扱われるため、ＡＰ制御装置と無線ＬＡＮ基地局装置との間のネットワークにおいて、１つのデータトンネル内で行う経路制御やＱｏＳ（Quality of Service）の適用が困難となる。
【０００８】
さらに、従来の通信システムにおいては、制御用フレームとデータ用フレームとが同等の優先度により通信されることとなり、データ用フレームのトラヒックが増加、すなわち輻輳した場合には、ＡＰ制御装置から無線ＬＡＮ基地局装置に送信される制御用フレームがＡＰ制御装置に送達されず、ＡＰ制御装置による無線ＬＡＮ基地局装置の管理がなされないこととなるため、通信システムにおける通信の安定性および安全性の低下などが生じるという問題がある。
【０００９】
本発明は、かかる点に鑑みてなされたものであり、無線ＬＡＮ基地局制御装置と無線ＬＡＮ基地局装置との間の制御の確実性を増し、通信の安定性、安全性を向上することができる通信システム、無線ＬＡＮ基地局制御装置および無線ＬＡＮ基地局装置を提供することを目的とする。
【課題を解決するための手段】
【００１０】
本発明の第１の特徴は、通信システムにおいて、無線ＬＡＮ基地局装置と、前記無線ＬＡＮ基地局装置との間に複数のデータトンネルを形成するトンネル形成管理手段と、送信データの種別に応じて前記データトンネルを使い分けて送信する制御手段と、を具備する無線ＬＡＮ基地局制御装置と、を設けたことにある。
【００１１】
本発明の第２の特徴は、無線ＬＡＮ基地局制御装置において、複数のデータトンネルを形成するトンネル形成管理手段と、送信データの種別に応じて前記データトンネルを使い分けて送信する制御手段と、を設けたことにある。
【００１２】
本発明の第３の特徴は、無線ＬＡＮ基地局装置において、複数のデータトンネルを形成するトンネル形成管理手段と、送信データの種別に応じて前記データトンネルを使い分けて送信する制御手段と、を設けたことである。
【発明の効果】
【００１３】
本発明によれば、複数のデータトンネルを形成し、かつ、フレームの種別に応じてデータトンネルを使い分けることにより、無線ＬＡＮ基地局制御装置と無線ＬＡＮ基地局装置との間の制御の確実性を増し、通信の安定性および安全性を向上することができる通信システム、無線ＬＡＮ基地局制御装置および無線ＬＡＮ基地局装置を提供することができる。
【発明を実施するための最良の形態】
【００１４】
以下、本発明の実施の形態について図面を参照して詳細に説明する。なお、実施の形態において、同一の構成要素には同一の符号を付し、その説明は重複するので省略する。
【００１５】
（実施の形態１）
まず、本実施の形態に係る通信システムの構成について、図１を参照して説明する。
【００１６】
実施の形態１に係る通信システム１０は、図１に示すように、無線ＬＡＮ基地局装置２００と、無線ＬＡＮ基地局装置２００との間に無線ＬＡＮ基地局装置２００の基地局ＭＡＣアドレスと自身の制御局ＭＡＣアドレスとにより定まる、すなわち定義されるデータトンネルを形成しこのデータトンネルを用いて通信を行う無線ＬＡＮ基地局制御装置としてのＡＰ制御装置１００と、無線ＬＡＮ基地局装置２００にアクセスして通信を行う通信端末装置３００と、ネットワークシステム４００とを備える。そして、ＡＰ制御装置１００は、コアネットワークシステム２０と接続されている。
【００１７】
ＡＰ制御装置１００の無線ＬＡＮ基地局装置２００側のインタフェースには、ＭＡＣアドレス：Ｓが付与されている。また、無線ＬＡＮ基地局装置２００ＡのＡＰ制御装置１００側のインタフェースには、ＭＡＣアドレス：Ｘが付与されている。そして、ＡＰ制御装置１００と無線ＬＡＮ基地局装置２００Ａとの間では、ＭＡＣアドレス：ＸとＭＡＣアドレス：Ｓとにより定義されるデータトンネルを通して通信が行われる。なお、ＡＰ制御装置１００と無線ＬＡＮ基地局装置２００Ｂとの間では、ＭＡＣアドレス：ＹとＭＡＣアドレス：Ｓとにより定義されるデータトンネルを通して通信が行われる。
【００１８】
また、無線ＬＡＮ基地局装置２００Ａと通信端末装置３００Ａとの間では、ＢＳＳＩＤ（Basic Service Set ID）：Ａを識別子として通信が行われる。なお、無線ＬＡＮ基地局装置２００Ｂと通信端末装置３００Ｂとの間では、ＢＳＳＩＤ（Basic Service Set ID）：Ｂを識別子として通信が行われる。
【００１９】
本実施の形態においては、無線ＬＡＮ基地局装置２００ＡとＡＰ制御装置１００との間にさらにｎ個のデータトンネルを形成できるようにしている。
【００２０】
具体的には、図２に示すように、無線ＬＡＮ基地局装置２００Ａと通信端末装置３００Ａ−１〜ｎとの間で通信をするために用意されているＢＳＳＩＤ：Ａ−１〜ｎ（図２では、ｎ＝３、以降ｎ＝３として説明する。）を、無線ＬＡＮ基地局装置２００Ａを識別するための基地局識別情報とし、この基地局識別情報としたＢＳＳＩＤ：Ａ−１〜３を無線ＬＡＮ基地局装置２００ＡのＡＰ制御装置１００側のインタフェースに付与することにより、無線ＬＡＮ基地局装置２００ＡとＡＰ制御装置１００との間にさらに３つのデータトンネル（データフレーム用トンネル♯Ａ１〜Ａ３）を形成できるようにしている。なお、無線ＬＡＮ基地局装置２００Ｂに関しても、基地局識別情報とするＢＳＳＩＤ：Ｂ−１〜３を無線ＬＡＮ基地局装置２００ＢのＡＰ制御装置１００側のインタフェースに付与することにより、無線ＬＡＮ基地局装置２００ＢとＡＰ制御装置１００との間にさらに３つのデータトンネル（データフレーム用トンネル♯Ｂ１〜Ｂ３）を形成できるようにしている。
【００２１】
また、さらに本実施の形態においては、ＡＰ制御装置１００と無線ＬＡＮ基地局装置２００との間で遣り取りされる制御用フレームと、制御用フレーム以外のデータ用フレームとで異なるデータトンネルを用いた通信を行っている。
【００２２】
具体的には、ＡＰ制御装置１００と無線ＬＡＮ基地局装置２００Ａとの間では、ＭＡＣアドレス：ＸとＭＡＣアドレス：Ｓとにより定まる、すなわち定義されるデータトンネルを通して制御用フレームの通信が行われる。また、ＢＳＳＩＤ：Ａ−１〜３とＭＡＣアドレス：Ｓとにより定義される３個のデータトンネル（データフレーム用トンネル♯Ａ１〜Ａ３）を通して制御用フレーム以外のデータ用フレームの通信が行われる。なお、ＡＰ制御装置１００よる無線ＬＡＮ基地局装置２００の制御のための制御用フレーム（以下、ＡＰ制御用フレームという）およびＡＰ制御装置１００と無線ＬＡＮ基地局装置２００との間で遣り取りされるデータフレームの構成については後述する。
【００２３】
このように、通信システム１０においては、ＡＰ制御装置１００と無線ＬＡＮ基地局装置２００との間に複数のデータトンネルを形成することができ、かつ、フレームの種別（制御用フレーム、制御用フレーム以外のデータ用フレームなど）に応じてデータトンネルを使い分けることができる。
【００２４】
こうすることで、データ用フレームのトラヒックが増加、すなわち輻輳した場合に生じうる、ＡＰ制御装置１００から無線ＬＡＮ基地局装置２００に送信されるＡＰ制御用フレームがＡＰ制御装置１００に送達されず、ＡＰ制御装置１００による無線ＬＡＮ基地局装置２００の管理がなされない不都合を解消することができる。また、ＡＰ制御用フレームとデータフレームとが別々のデータトンネルにより通信されるので、ＱｏＳや経路選択などをそれぞれのフレームごとに適用することができる。
【００２５】
図３に示すように、ＡＰ制御装置１００は、網側入出力部１０１と、スイッチング部１０２と、ＡＰ管理部１０３と、第１のデータトンネル（制御用フレームを通す）および第２のデータトンネル（制御用フレーム以外のデータ用フレームを通す）を形成し、かつ、管理するトンネル形成管理手段並びに送信データが制御データであるときにはその制御データを第１のデータトンネルを用いて送信し、かつ、送信データが制御データ以外のデータであるときには第２のデータトンネルを用いて送信する制御手段としてのトンネル作成管理部１０４と、基地局ＭＡＣアドレスと基地局識別情報と制御局ＭＡＣアドレスとを対応づけて記憶する記憶手段としてのトンネル管理データベース部１０５と、端末側入出力部１０６とを備える。
【００２６】
網側入出力部１０１は、網側、すなわちコアネットワークシステム２０側に対するフレームの入出力を行う。具体的には、コアネットワークシステム２０側から入力されるフレームをスイッチング部１０２に送出し、また、スイッチング部１０２から入力されるフレームをコアネットワークシステム２０へ送出する。
【００２７】
スイッチング部１０２は、入力されるフレームを網側か端末側かのどちらかにスイッチングする。具体的には、スイッチング部１０２は、入力されるフレームを網側入出力部１０１又はトンネル作成管理部１０４へ送出する。
【００２８】
ＡＰ管理部１０３は、無線ＬＡＮ基地局装置２００の管理を行うための処理を行う。具体的には、無線ＬＡＮ基地局装置２００を制御するためのＡＰ制御用フレームを生成し、トンネル作成管理部１０４へ送出する。
【００２９】
トンネル作成管理部１０４は、データトンネルの作成およびトンネル管理データベース部１０５の管理などを行う。また、トンネル作成管理部１０４は、入力されるフレームをデータトンネルに振り分ける。このトンネル作成管理部１０４の動作の詳細については、後述する。
【００３０】
トンネル管理データベース部１０５は、図４に示すように、ＡＰ制御用トンネルテーブルと、データフレーム用トンネルテーブルと、データフレーム用対応テーブルとを備える。
【００３１】
ＡＰ制御用トンネルテーブルには、図４（ａ）に示すように、制御用フレームを通信するためのデータトンネルがエントリされており、各々のデータトンネルは、宛先ＭＡＣアドレスと送信元ＭＡＣアドレスの組により定義（規定）されている。例えば、図４（ａ）のＡＰ制御用トンネルテーブルのトンネルＩＤ１は、図２に示すＡＰ制御装置１００と無線ＬＡＮ基地局装置２００Ａとの間に形成されるＡＰ制御用トンネルを定義している。
【００３２】
データフレーム用トンネルテーブルには、図４（ｂ）に示すように、データフレームを通信するためのデータトンネルがエントリされており、各々のデータトンネルは、宛先ＭＡＣアドレスと送信元ＭＡＣアドレスの組により定義（規定）されている。例えば、図４（ｂ）のデータフレーム用トンネルテーブルのトンネルＩＤ１は、図２に示すＡＰ制御装置１００と無線ＬＡＮ基地局装置２００Ａとの間に形成されるデータフレーム用トンネル♯Ａ１を定義している。なお、ここでは、ＢＳＳＩＤが無線ＬＡＮ基地局装置２００のＭＡＣアドレスとして利用されている。
【００３３】
このように、通信端末装置３００と無線ＬＡＮ基地局装置２００との間の通信にて用いられるＢＳＳＩＤを、そのまま無線ＬＡＮ基地局装置２００のＡＰ制御装置１００側のＭＡＣアドレスとして利用することにより、通信端末装置３００に割り当てられるＢＳＳＩＤが決まれば、その通信端末装置３００に送受信されるデータフレームが通るデータトンネルが一義的に決定される。すなわち、通信端末装置３００から無線ＬＡＮ基地局装置２００を介しＡＰ制御装置１００までに至るデータトンネルが形成されることとなる。従って、一度データトンネルが定義（規定）されれば、仲介する無線ＬＡＮ基地局装置２００はデータフレームの転送のために重い処理をする必要がないため、無線ＬＡＮ基地局装置２００における処理量が低減される。また、同一の無線ＬＡＮ基地局装置２００に収容されている通信端末装置３００であっても、割り当てられるＢＳＳＩＤが異なれば、使用されるデータトンネルも異なるので、データフレームが送受信される通信端末装置３００ごとにＱｏＳや経路制御の適用が可能となる。
【００３４】
データフレーム用対応テーブルには、図４（ｃ）に示すように、データフレームごとにどのデータトンネルを利用するかが定義（規定）されている。例えば、通信端末装置３００Ａの端末識別子がＴ１であるとすれば、通信端末装置３００ＡとＡＰ制御装置１００との間でデータフレームを遣り取りする場合には、データフレーム用トンネルテーブルのトンネルＩＤ１のデータトンネルを利用することが定義（規定）されている。すなわち、データフレーム用トンネルの使用に関しては、ＡＰ制御装置１００と無線ＬＡＮ基地局装置２００を介して通信する通信端末装置３００が割り当てられたＢＳＳＩＤごとに一義的に定まるデータトンネルが使用されるので、通信端末装置３００の識別子（例えば、通信端末装置３００のＭＡＣアドレス）とデータフレーム用トンネルテーブルの１つエントリとが対応づけられている。
【００３５】
次いで、トンネル作成管理部１０４の動作について図５を参照して説明する。
【００３６】
まずステップＳＴ２００１においてフレームを受け取ると、トンネル作成管理部１０４は、そのフレームをどこから受け取ったのかを判断する（ステップＳＴ２００２）。
【００３７】
ステップＳＴ２００２にてフレームをスイッチング部１０２又はＡＰ管理部１０３から受け取ったと判断したときには、トンネル作成管理部１０４は、そのフレームがデータフレームかＡＰ制御用フレームかを判断する（ステップＳＴ２００３）。
【００３８】
ステップＳＴ２００３にてフレームがデータフレームであると判断したときには、トンネル作成管理部１０４は、そのフレームに含まれる通信端末装置３００の宛先ＭＡＣアドレス（端末識別子）をキーとして、データフレーム用対応テーブルを検索し、対応するトンネルＩＤを取り出す（ステップＳＴ２００４）。
【００３９】
そして、ステップＳＴ２００５において、トンネル作成管理部１０４は、ステップＳＴ２００４にて取り出したトンネルＩＤをキーとして、データフレーム用トンネルテーブルを検索し、対応するトンネル識別子、すなわち宛先ＭＡＣアドレスおよび送信元ＭＡＣアドレスを取り出す。
【００４０】
ステップＳＴ２００６において、トンネル作成管理部１０４は、ステップＳＴ２００５又は後述のステップＳＴ２００７にて取り出したトンネル識別子を基にトンネルヘッダを作成し、データフレームにヘッダとして含めて、すなわちカプセルリングして、端末側入出力部１０６へ送出する。
【００４１】
ステップＳＴ２００３にてフレームがＡＰ制御用フレームであると判断したときには、トンネル作成管理部１０４は、そのＡＰ制御用フレームに含まれ、制御対象である無線ＬＡＮ基地局装置２００のＭＡＣアドレスをキーとして、ＡＰ制御用トンネルテーブルを検索し、トンネル識別子を取り出す（ステップＳＴ２００７）。
【００４２】
ステップＳＴ２００２にてフレームを端末側入出力部１０６から受け取ったと判断したときには、トンネル作成管理部１０４は、受け取ったフレームのトンネルヘッダの検査を行い（ステップＳＴ２００８）、トンネルヘッダを外す、すなわちデカプセル化する（ステップＳＴ２００９）。
【００４３】
そしてステップＳＴ２０１０において、トンネル作成管理部１０４は、デカプセル化したフレームがデータフレームであるか制御用フレームであるかを判断する。
【００４４】
ステップＳＴ２０１０の判断の結果、データフレームであると判断したときには、トンネル作成管理部１０４は、そのデータフレームに含まれる送信元ＭＡＣアドレス（ここでは、通信端末装置３００のＭＡＣアドレス）をキーとしてデータフレーム用トンネルテーブルから対応するトンネルＩＤを検索し、そのトンネルＩＤと端末識別子（通信端末装置３００のＭＡＣアドレス）とを対応づけてデータフレーム用対応テーブルに格納する（ステップＳＴ２０１１）。
【００４５】
トンネル作成管理部１０４は、そのデータフレームをスイッチング部１０２に送出する（ステップＳＴ２０１２）。
【００４６】
ステップＳＴ２０１０の判断の結果、無線ＬＡＮ基地局装置２００からの制御用フレームであると判断したときには、トンネル作成管理部１０４は、その制御用フレームをＡＰ管理部１０３に送出する（ステップＳＴ２０１３）。
【００４７】
そして、端末側入出力部１０６は、トンネル作成管理部１０４から受け取るフレームを無線ＬＡＮ基地局装置２００に対して送出し、また無線ＬＡＮ基地局装置２００からのフレームをトンネル作成管理部１０４に送出する。
【００４８】
次いで、図６に示すように、無線ＬＡＮ基地局装置２００は、網側入出力部２０１と、第１のデータトンネル（制御用フレームを通す）および第２のデータトンネル（制御用フレーム以外のデータ用フレームを通す）を形成し、かつ、管理するトンネル形成管理手段並びに送信データが制御データであるときにはその制御データを第１のデータトンネルを用いて送信し、かつ、送信データが制御データ以外のデータであるときには第２のデータトンネルを用いて送信する制御手段としてのトンネル作成管理部２０２と、基地局ＭＡＣアドレスと基地局識別情報と制御局ＭＡＣアドレスとを対応づけて記憶する記憶手段としてのトンネル管理データベース部２０３と、フレーム転送部２０４と、端末側入出力部２０５と、ＡＰ管理部２０６とを備える。
【００４９】
網側入出力部２０１は、網側、すなわちＡＰ制御装置１００側に対するフレームの入出力を行う。具体的には、ＡＰ制御装置１００側から入力されるフレームをトンネル作成管理部２０２に送出し、また、トンネル作成管理部２０２から入力されるフレームをＡＰ制御装置１００へ送出する。
【００５０】
トンネル作成管理部２０２は、データトンネルの作成およびトンネル管理データベース部２０３の管理などを行う。また、トンネル作成管理部２０２は、入力されるフレームをデータトンネルに振り分ける。このトンネル作成管理部２０２の動作の詳細については、後述する。
【００５１】
トンネル管理データベース部２０３は、図７に示すように、ＡＰ制御用トンネルテーブルと、データフレーム用トンネルテーブルとを備える。
【００５２】
ＡＰ制御用トンネルテーブルには、図７（ａ）に示すように、制御用フレームを通信するためのデータトンネルがエントリされており、データトンネルは、宛先ＭＡＣアドレスと送信元ＭＡＣアドレスの組により定義されている。なお、通常、１つの無線ＬＡＮ基地局装置２００には、１つのＡＰ制御用トンネルが形成されるので、トンネル管理データベース部２０３にて管理されているＡＰ制御用トンネルテーブルには１組のエントリがある。
【００５３】
データフレーム用トンネルテーブルには、図７（ｂ）に示すように、データフレームを通信するためのデータトンネルがエントリされており、各々のデータトンネルは、宛先ＭＡＣアドレスと送信元ＭＡＣアドレスの組により定義されている。例えば、図７（ｂ）のデータフレーム用トンネルテーブルのトンネルＩＤ１は、図２に示すＡＰ制御装置１００と無線ＬＡＮ基地局装置２００Ａとの間に形成されるデータフレーム用トンネル♯Ａ１を定義している。なお、ここでも、ＢＳＳＩＤが無線ＬＡＮ基地局装置２００のＭＡＣアドレスとして利用されている。
【００５４】
フレーム転送部２０４は、トンネル作成管理部２０２から受け取るフレームに適切なプロトコル処理を行い、プロトコル処理後のフレームを端末側入出力部２０５に送出する。また、フレーム転送部２０４は、端末側入出力部２０５から受け取るフレームに適切なプロトコル処理を行い、プロトコル処理後のフレームをトンネル作成管理部２０２に送出する。
【００５５】
端末側入出力部２０５は、通信端末装置３００からのフレームをフレーム転送部２０４に送出し、またフレーム転送部２０４からのフレームを通信端末装置３００に送出する。
【００５６】
ＡＰ管理部２０６は、自装置、すなわち無線ＬＡＮ基地局装置２００の管理を行うための処理を行う。具体的には、ＡＰ制御装置１００からの無線ＬＡＮ基地局装置２００を制御するための制御用フレーム（以下、ＡＰ制御用フレームという）を受け取り、自装置を管理するとともに、ＡＰ制御用フレームに応答してＡＰ制御装置１００に送出するための制御用フレームを生成し、トンネル作成管理部２０２に送出する。
【００５７】
次いで、トンネル作成管理部２０２の動作について図８を参照して説明する。
【００５８】
まずステップＳＴ２１０１においてフレームを受け取ると、トンネル作成管理部２０２は、そのフレームをどこから受け取ったのかを判断する（ステップＳＴ２１０２）。
【００５９】
ステップＳＴ２１０２にてフレームをフレーム転送部２０４又はＡＰ管理部２０６から受け取ったと判断したときには、トンネル作成管理部２０２は、そのフレームがデータフレームか制御用フレームかを判断する（ステップＳＴ２１０３）。
【００６０】
ステップＳＴ２１０３にてフレームがデータフレームであると判断したときには、トンネル作成管理部２０２は、そのフレームに含まれるＢＳＳＩＤを取得する（ステップＳＴ２１０４）。なお、ＢＳＳＩＤは、８０２．１１ヘッダのＡｄｄ１に格納されている。
【００６１】
ステップＳＴ２１０５において、トンネル作成管理部２０２は、ステップＳＴ２１０４にて取り出したＢＳＳＩＤをキーとして、データフレーム用トンネルテーブルを検索し、このＢＳＳＩＤと対応する送信元ＭＡＣアドレスが格納されているトンネル識別子、すなわち宛先ＭＡＣアドレスおよび送信元ＭＡＣアドレスを取り出す。
【００６２】
ステップＳＴ２１０６において、トンネル作成管理部２０２は、ステップＳＴ２１０５又は後述のステップＳＴ２１０７にて取り出したトンネル識別子を基にトンネルヘッダを作成し、フレームにヘッダとして含めて、すなわちカプセルリングして、網側入出力部２０１へ送出する。
【００６３】
ステップＳＴ２１０３にてフレームが制御用フレームであると判断したときには、トンネル作成管理部２０２は、その制御用フレームに含まれ、送達対象であるＡＰ制御装置１００のＭＡＣアドレスをキーとして、ＡＰ制御用トンネルテーブルを検索し、トンネル識別子を取り出す（ステップＳＴ２１０７）。
【００６４】
ステップＳＴ２１０２にてフレームを網側入出力部２０１から受け取ったと判断したときには、トンネル作成管理部２０２は、受け取ったフレームのトンネルヘッダの検査を行い（ステップＳＴ２１０８）、トンネルヘッダを外す、すなわちデカプセル化する（ステップＳＴ２１０９）。
【００６５】
そしてステップＳＴ２１１０において、トンネル作成管理部２０２は、デカプセル化したフレームがデータフレームであるかＡＰ制御用フレームであるかを判断する。
【００６６】
ステップＳＴ２１１０の判断の結果、データフレームであると判断したときには、トンネル作成管理部２０２は、そのデータフレームをフレーム転送部２０４に送出する（ステップＳＴ２１１１）。
【００６７】
ステップＳＴ２１１０の判断の結果、ＡＰ制御装置１００からのＡＰ制御用フレームであると判断したときには、トンネル作成管理部２０２は、そのＡＰ制御用フレームをＡＰ管理部２０６に送出する（ステップＳＴ２１１２）。
【００６８】
次いで、通信システム１０において行われるトンネル作成のシーケンスについて図９を参照して説明する。
【００６９】
ステップＳＴ２２０１において、無線ＬＡＮ基地局装置２００は、まず自装置をＡＰ制御装置１００に検知してもらうために、自装置の基地局ＭＡＣアドレス（具体的には、ＡＰ接続ポートのＭＡＣアドレス）を含むＡＰ検知要求をＡＰ制御装置１００に対して送出する。
【００７０】
ステップＳＴ２２０２において、ＡＰ制御装置１００は、無線ＬＡＮ基地局装置２００から受け取るＡＰ検知要求を基にして、ＡＰ制御用トンネルテーブルにエントリの追加処理を行う。詳細には、図１０に示すように、ＡＰ制御装置１００において、トンネル作成管理部１０４は、端末側入出力部１０６を介して受け取るＡＰ検知要求から、無線ＬＡＮ基地局装置２００の実ＭＡＣアドレスおよび接続した無線ＬＡＮ基地局装置２００のポート番号を取得する（ステップＳＴ２３０１）。そして、トンネル作成管理部１０４は、ステップＳＴ２３０１にて取得した情報を基にして、トンネル管理データベース部１０５のＡＰ制御用トンネルテーブルを生成する（ステップＳＴ２３０２）。具体的には、ＡＰ制御用トンネルテーブルにおけるトンネル識別子の宛先ＭＡＣアドレスには、無線ＬＡＮ基地局装置２００の実ＭＡＣアドレスが入力され、またトンネル識別子の送信元ＭＡＣアドレスには、自装置、すなわちＡＰ制御装置１００のＡＰ接続ポートのＭＡＣアドレスが入力される。
【００７１】
ステップＳＴ２２０３において、ＡＰ制御装置１００は、自装置の制御局ＭＡＣアドレスを含むＡＰ検知応答を無線ＬＡＮ基地局装置２００に対して送出する。
【００７２】
ステップＳＴ２２０４において、無線ＬＡＮ基地局装置２００は、ＡＰ制御装置１００から受け取るＡＰ検知応答を基にして、ＡＰ制御用トンネルテーブルを作成する。詳細には、図１１に示すように、無線ＬＡＮ基地局装置２００において、トンネル作成管理部２０２は、網側入出力部２０１を介して受け取るＡＰ検知応答からＡＰ制御装置１００のＭＡＣアドレスを取得する（ステップＳＴ２４０１）。そして、トンネル作成管理部２０２は、ステップＳＴ２４０１にて取得した情報を基にして、ＡＰ制御用トンネルテーブルを生成する（ステップＳＴ２４０２）。具体的には、ＡＰ制御用トンネルテーブルにおけるトンネル識別子の宛先ＭＡＣアドレスには、ＡＰ制御装置１００のＭＡＣアドレスが入力され、またトンネル識別子の送信元ＭＡＣアドレスには、自装置、すなわち無線ＬＡＮ基地局装置２００のＭＡＣアドレスが入力される。この時点で、ＡＰ制御装置１００と無線ＬＡＮ基地局装置２００との間にＡＰ制御用トンネルが張られたことになる。
【００７３】
ステップＳＴ２２０５においては、ＡＰ制御装置１００が無線ＬＡＮ基地局装置２００の設定を行っている。具体的には、無線ＬＡＮ基地局装置２００と通信端末装置３００との間の通信に用いられるＢＳＳＩＤの設定などを行う。
【００７４】
そして、ステップＳＴ２２０５にて設定されたＢＳＳＩＤの数だけ、ＡＰ制御装置１００および無線ＬＡＮ基地局装置２００のデータフレーム用トンネルテーブルにエントリが追加される。
【００７５】
つまり、ステップＳＴ２２０６において、ＡＰ制御装置１００は、データフレーム用トンネルテーブルのエントリを追加する。詳細には、図１２に示すように、ＡＰ制御装置１００は、ステップＳＴ２２０５にて無線ＬＡＮ基地局装置２００に対する設定を行い、その設定情報を基にして、データフレーム用トンネルテーブルを生成する（ステップＳＴ２３１１）。具体的には、データフレーム用トンネルテーブルにおけるトンネル識別子の宛先ＭＡＣアドレスには、設定情報に含まれるＢＳＳＩＤが入力され、またトンネル識別子の送信元ＭＡＣアドレスには、ＡＰ制御装置１００のＡＰ接続ポートＭＡＣアドレスが入力される。なお、このエントリの追加は、設定されるＢＳＳＩＤの数だけ行われる。
【００７６】
そして、ステップＳＴ２２０７において、無線ＬＡＮ基地局装置２００は、データフレーム用トンネルテーブルのエントリを追加する。詳細には、図１３に示すように、無線ＬＡＮ基地局装置２００は、ステップＳＴ２２０５にてＡＰ制御装置１００による設定がなされ、その設定情報を基にして、データフレーム用トンネルテーブルを生成する（ステップＳＴ２４１１）。具体的には、データフレーム用トンネルテーブルにおけるトンネル識別子の宛先ＭＡＣアドレスには、設定情報に付加されているＡＰ制御装置１００のＭＡＣアドレスが入力され、またトンネル識別子の送信元ＭＡＣアドレスには、設定情報に含まれるＢＳＳＩＤが入力される。この時点で、ＡＰ制御装置１００と無線ＬＡＮ基地局装置２００との間にデータフレーム用トンネルが張られたことになる。
【００７７】
通信端末装置３００が無線ＬＡＮ基地局装置２００に対して接続要求を行うときには、無線ＬＡＮ基地局装置２００は、その通信端末装置３００に対して１つのＢＳＳＩＤを割り当て、通信端末装置３００からの接続要求にその通信端末装置３００のＭＡＣアドレスとその通信端末装置３００に割り当てたＢＳＳＩＤとを含めて、ＡＰ制御装置１００に送出する（ステップＳＴ２２０８）。
【００７８】
ステップＳＴ２２０９において、ＡＰ制御装置１００は、無線ＬＡＮ基地局装置２００から受け取る通信端末装置３００の接続要求を基にして、トンネル管理データベース部２０３のデータフレーム用トンネルテーブルを作成する。詳細には、図１４に示すように、ＡＰ制御装置１００は、接続要求を検知し、その接続要求に含まれる通信端末装置３００のＭＡＣアドレスとＢＳＳＩＤとを取得する（ステップＳＴ２３２１）。そして、ＡＰ制御装置１００のトンネル作成管理部１０４は、ステップＳＴ２３２１にて取得したＢＳＳＩＤをキーとしてデータフレーム用トンネルテーブルを検索し、そのＢＳＳＩＤと同一の宛先ＭＡＣアドレスを持つエントリのトンネルＩＤを取得する。そして、トンネル作成管理部１０４は、取得したトンネルＩＤとステップＳＴ２３２１にて取得したＭＡＣアドレスとをエントリとして、トンネル管理データベース部１０５のデータフレーム用対応テーブルに追加する（ステップＳＴ２３２２）。
【００７９】
次いで、ＡＰ制御装置１００よる無線ＬＡＮ基地局装置２００の制御のためのＡＰ制御用フレームおよびＡＰ制御装置１００と無線ＬＡＮ基地局装置２００との間で遣り取りされるデータフレームの構成について図１５を参照して説明する。
【００８０】
図１５（ａ）に示すように、データフレームは、トンネルヘッダ２５０１（ここでは、Ｅｔｈｅｒヘッダ）と、ＡＰ管理プロトコルヘッダ２５０２と、８０２．１１フレーム２５０３とを備える。トンネルヘッダ２５０１は、送信先ＭＡＣアドレスと、送信元ＭＡＣアドレスと、Ｅｔｈｅｒタイプとからなる。また、ＡＰ管理プロトコルヘッダ２５０２は、データフレームか制御用フレームかを示すフラグを保持している。８０２．１１フレーム２５０３は、フレーム制御デュレーションＩＤと、ＢＳＳＩＤが格納されるアドレス１領域（Ａｄｄ１）と、通信端末装置３００のＭＡＣアドレスが格納されるアドレス２領域（Ａｄｄ２）と、宛先ＭＡＣアドレスが格納されるアドレス３領域（Ａｄｄ３）と、シーケンス制御領域と、データ領域とからなる。なお、上記アドレス１〜３に格納される情報は、通信端末装置３００からＡＰ制御装置１００の方向に向けて送信される場合について説明したものである。
【００８１】
図１５（ｂ）に示すように、ＡＰ制御用フレームは、トンネルヘッダ（ここでは、Ｅｔｈｅｒヘッダ）２５２１と、ＡＰ管理プロトコルヘッダ２５２２と、ＡＰ管理プロトコルペイロード２５２３とを備える。トンネルヘッダ２５２１は、送信先ＭＡＣアドレスと、送信元ＭＡＣアドレスと、Ｅｔｈｅｒタイプとからなる。ＡＰ管理プロトコルヘッダ２５２２は、データフレームか制御用フレームかを示すフラグを保持している。
【００８２】
このように、実施の形態１に係る通信システム１０において、ＡＰ制御装置１００と無線ＬＡＮ基地局装置２００との間に複数のデータトンネルを形成し、かつ、フレームの種別（制御用データフレーム、データフレームなど）に応じてデータトンネルを使い分けることにより、ＡＰ制御フレームが無線ＬＡＮ基地局装置２００に送達する確実性が増す結果、ＡＰ制御装置１００と無線ＬＡＮ基地局装置２００との間の制御の確実性が増し、通信システム１０における通信の安定性、安全性を向上することができる。
【００８３】
また、実施の形態１に係る通信システム１０において、通信端末装置３００と無線ＬＡＮ基地局装置２００との間の通信にて用いられるＢＳＳＩＤを、そのまま無線ＬＡＮ基地局装置２００のＡＰ制御装置１００側の基地局識別情報（例えば、ＭＡＣアドレス）として利用することにより、通信端末装置３００に割り当てられるＢＳＳＩＤが決まれば、その通信端末装置３００に送受信されるデータフレームが通るデータトンネルが一義的に決定される。すなわち、通信端末装置３００から無線ＬＡＮ基地局装置２００を介しＡＰ制御装置１００までに至るデータトンネルが形成されることとなる。従って、一度データトンネルが定義されれば、仲介する無線ＬＡＮ基地局装置２００はデータフレームの転送のために重い処理をする必要がないため、無線ＬＡＮ基地局装置２００における処理量が低減される。また、同一の無線ＬＡＮ基地局装置２００に収容されている通信端末装置３００であっても、割り当てられるＢＳＳＩＤが異なれば、使用されるデータトンネルも異なるので、データフレームが送受信される通信端末装置３００ごとにＱｏＳや経路制御の適用が可能となる。
【００８４】
以上のように実施の形態１によれば、ＡＰ制御装置１００に、複数のデータトンネルを形成するトンネル形成管理手段、および送信データの種別に応じてデータトンネルを使い分けて送信する制御手段としてのトンネル作成管理部１０４を設けた。
【００８５】
こうすることにより、例えば、制御用データと制御用データ以外のデータとにおいて、データトンネルを使い分けることにより、制御用データが送信先に到達する確実性が増す結果、ＡＰ制御装置１００と無線ＬＡＮ基地局装置２００との間の制御の確実性が増す。そのため、通信の安定性、安全性を向上することができる。
【００８６】
トンネル作成管理部１０４は、無線ＬＡＮ基地局装置２００の基地局ＭＡＣアドレスと自装置の制御局ＭＡＣアドレスとにより規定される第１のデータトンネルの他に、基地局ＭＡＣアドレス以外の無線ＬＡＮ基地局装置２００の基地局識別情報と制御局ＭＡＣアドレスとにより第２のデータトンネルを形成する。この基地局識別情報としては、例えば、ＢＳＳＩＤが利用される。
【００８７】
こうすることにより、無線ＬＡＮ基地局装置２００との間で通信を行う通信端末装置に割り当てられるＢＳＳＩＤを、そのまま無線ＬＡＮ基地局装置２００のＡＰ制御装置１００側の基地局識別情報（例えば、ＭＡＣアドレス）として利用することで、通信端末装置に割り当てられるＢＳＳＩＤが決まれば、その通信端末装置に送受信されるデータフレームが通るデータトンネルが一義的に決定される。なお、本実施の形態においては、トンネル作成管理部１０４は、制御データを第１のデータトンネルを用いて送信し、送信データ以外のデータを第２のデータトンネルを用いて送信する。
【００８８】
また、実施の形態１によれば、無線ＬＡＮ基地局装置２００に、複数のデータトンネルを形成するトンネル形成管理手段、および送信データの種別に応じてデータトンネルを使い分けて送信する制御手段としてのトンネル作成管理部２０２を設けた。
【００８９】
こうすることにより、例えば、制御用データと制御用データ以外のデータとにおいて、データトンネルを使い分けることにより、制御用データが送信先に到達する確実性が増す結果、ＡＰ制御装置１００と無線ＬＡＮ基地局装置２００との間の制御の確実性が増す。そのため、通信の安定性、安全性を向上することができる。
【００９０】
トンネル作成管理部２０２は、自装置の基地局ＭＡＣアドレスとＡＰ制御装置１００の制御局ＭＡＣアドレスとにより規定される第１のデータトンネルの他に、基地局ＭＡＣアドレス以外の自装置の基地局識別情報と制御局ＭＡＣアドレスとにより第２のデータトンネルを形成する。この基地局識別情報としては、例えば、ＢＳＳＩＤが利用される。
【００９１】
こうすることにより、無線ＬＡＮ基地局装置２００との間で通信を行う通信端末装置に割り当てられるＢＳＳＩＤを、そのまま無線ＬＡＮ基地局装置２００のＡＰ制御装置１００側の基地局識別情報（例えば、ＭＡＣアドレス）として利用することで、通信端末装置に割り当てられるＢＳＳＩＤが決まれば、その通信端末装置に送受信されるデータフレームが通るデータトンネルが一義的に決定される。なお、本実施の形態においては、トンネル作成管理部２０２は、制御データを第１のデータトンネルを用いて送信し、送信データ以外のデータを第２のデータトンネルを用いて送信する。
【００９２】
かくして実施の形態１によれば、ＡＰ制御装置１００と無線ＬＡＮ基地局装置２００との間の制御の確実性を増し、通信の安定性、安全性を向上することができる通信システム１０を構築することができる。
【００９３】
（実施の形態２）
実施の形態２に係る通信システム１０Ａは、図１６に示すように、無線ＬＡＮ基地局装置６００と、無線ＬＡＮ基地局装置６００との間に無線ＬＡＮ基地局装置６００の基地局ＭＡＣアドレスと自身の制御局ＭＡＣアドレスとにより定まる、すなわち定義されるデータトンネルを形成しこのデータトンネルを用いて通信を行う無線ＬＡＮ基地局制御装置としてのＡＰ制御装置５００と、無線ＬＡＮ基地局装置６００にアクセスして通信を行う通信端末装置３００と、ネットワークシステム７００とを備える。そして、ＡＰ制御装置５００は、コアネットワークシステム２０と接続されている。
【００９４】
図１７に示すように、通信システム１０Ａにおいては、先に説明した通信システム１０におけるＡＰ制御装置１００および無線ＬＡＮ基地局装置２００と同様に、ＡＰ制御装置５００と無線ＬＡＮ基地局装置６００との間に、制御用フレームを通すデータトンネルと、制御用フレーム以外のデータ用フレームを通すデータトンネルとが形成されている。そして、通信システム１０Ａにおいても、通信システム１０と同様に、ＡＰ制御装置５００と無線ＬＡＮ基地局装置６００との間に複数のデータトンネルを形成することができ、かつ、フレームの種別（制御用フレーム、制御用フレーム以外のデータ用フレームなど）に応じてデータトンネルを使い分けることができる。
【００９５】
こうすることで、実施の形態１と同様に、データ用フレームのトラヒックが増加、すなわち輻輳した場合に生じうる、ＡＰ制御装置５００から無線ＬＡＮ基地局装置６００に送信されるＡＰ制御用フレームが無線ＬＡＮ基地局装置６００に送達されず、ＡＰ制御装置５００による無線ＬＡＮ基地局装置６００の管理がなされない不都合を解消することができる。また、ＡＰ制御用フレームとデータフレームとが別々のデータトンネルにより通信されるので、ＱｏＳや経路選択などをそれぞれのフレームごとに適用することができる。
【００９６】
ただし、実施の形態１に係る通信システム１０において、通信端末装置３００と無線ＬＡＮ基地局装置２００との間の通信にて用いられるＢＳＳＩＤを、そのまま無線ＬＡＮ基地局装置２００のＡＰ制御装置１００側の基地局識別情報（例えば、ＭＡＣアドレス）として利用することによりデータトンネルを形成していたのに対して、実施の形態２の通信システム１０Ａにおいては、新たにＶＬＡＮタグＩＤを導入し各データトンネルに対して異なるＶＬＡＮタグＩＤを付与することにより、複数のデータトンネルを形成する点で異なる。
【００９７】
図１８に示すように、ＡＰ制御装置５００は、トンネル作成管理部５０１と、トンネル管理データベース部５０２とを有する。
【００９８】
トンネル作成管理部５０１は、データトンネルの作成およびトンネル管理データベース部５０２の管理などを行う。また、トンネル作成管理部５０１は、入力されるフレームをデータトンネルに振り分ける。
【００９９】
トンネル管理データベース部５０２は、図１９に示すように、ＡＰ制御用トンネルテーブルと、データフレーム用トンネルテーブルと、データフレーム用対応テーブルとを備える。
【０１００】
ＡＰ制御用トンネルテーブルには、図１９（ａ）に示すように、制御用フレームを通信するためのデータトンネルがエントリされており、各々のデータトンネルは、宛先ＭＡＣアドレスと送信元ＭＡＣアドレスとさらにＶＬＡＮタグＩＤとの組により定義（規定）されている。例えば、図１９（ａ）のＡＰ制御用トンネルテーブルのトンネルＩＤ１は、図１７に示すＡＰ制御装置５００と無線ＬＡＮ基地局装置６００Ａとの間に形成されるＡＰ制御用トンネルを定義している。
【０１０１】
データフレーム用トンネルテーブルには、図１９（ｂ）に示すように、データフレームを通信するためのデータトンネルがエントリされており、各々のデータトンネルは、宛先ＭＡＣアドレスと送信元ＭＡＣアドレスとさらにＶＬＡＮタグＩＤとの組により定義（規定）されている。例えば、図１９（ｂ）のデータフレーム用トンネルテーブルのトンネルＩＤ１は、図１７に示すＡＰ制御装置５００と無線ＬＡＮ基地局装置６００Ａとの間に形成されるデータフレーム用トンネル♯１を定義している。
【０１０２】
さらに、データフレーム用トンネルテーブルでは、宛先ＭＡＣアドレスと送信元ＭＡＣアドレスとＶＬＡＮタグＩＤとの組からなるトンネル識別子と、ＢＳＳＩＤとが対応づけられている。これにより、ＡＰ制御装置５００が受け取ったデータフレームが送信されるべき通信端末装置３００に割り当てられたＢＳＳＩＤを特定すれば、このデータフレームをどのデータトンネルに送出するべきか特定することができる。なお、例えば、図１９（ｂ）に示すデータフレーム用トンネルテーブルのトンネルＩＤ１およびトンネルＩＤ６においては、＃１００という同じＶＬＡＮタグＩＤが用いられているが、これらのデータトンネルは異なる２つの無線ＬＡＮ基地局装置６００との間に形成されているデータトンネルであるので宛先ＭＡＣアドレスが異なるため、トンネル識別子によりデータトンネルは一義的に定まる。
【０１０３】
データフレーム用対応テーブルには、図１９（ｃ）に示すように、データフレームごとにどのデータトンネルを利用するかが定義（規定）されている。例えば、通信端末装置３００Ａの端末識別子がＴ１であるとすれば、通信端末装置３００ＡとＡＰ制御装置５００との間でデータフレームを遣り取りする場合には、データフレーム用トンネルテーブルのトンネルＩＤ１のデータトンネルを利用することが定義（規定）されている。
【０１０４】
なお、トンネル作成管理部５０１の動作は、基本的に図５に示したトンネル作成管理部１０４の動作と同様であるので、説明は省略する。ただし、トンネル作成管理部５０１が扱うトンネル識別子は、宛先ＭＡＣアドレスと送信元ＭＡＣアドレスとさらにＶＬＡＮタグＩＤとの組である点が異なる。そのため、ＡＰ制御装置５００よる無線ＬＡＮ基地局装置６００の制御のためのＡＰ制御用フレームおよびＡＰ制御装置５００と無線ＬＡＮ基地局装置６００との間で遣り取りされるデータフレームの構成は、実施の形態１のものと比べて、データフレームのトンネルヘッダ２５０１に新たにＶＬＡＮタグＩＤを含めるための領域であるＶＬＡＮタグ２５０４が設けられ、ＡＰ制御用フレームのトンネルヘッダ２５２１にもＶＬＡＮタグ２５２４が設けられている（図２０（ａ）、（ｂ）参照）。
【０１０５】
図２１に示すように、無線ＬＡＮ基地局装置６００は、トンネル作成管理部６０１と、トンネル管理データベース部６０２とを有する。
【０１０６】
トンネル作成管理部６０１は、データトンネルの作成およびトンネル管理データベース部６０２の管理などを行う。また、トンネル作成管理部６０１は、入力されるフレームをデータトンネルに振り分ける。
【０１０７】
トンネル管理データベース部６０２は、図２２に示すように、ＡＰ制御用トンネルテーブルと、データフレーム用トンネルテーブルとを備える。
【０１０８】
ＡＰ制御用トンネルテーブルには、図２２（ａ）に示すように、制御用フレームを通信するためのデータトンネルがエントリされており、データトンネルは、宛先ＭＡＣアドレスと送信元ＭＡＣアドレスと、さらにＶＬＡＮタグＩＤとの組により定義されている。
【０１０９】
データフレーム用トンネルテーブルには、図２２（ｂ）に示すように、データフレームを通信するためのデータトンネルがエントリされており、各々のデータトンネルは、宛先ＭＡＣアドレスと送信元ＭＡＣアドレスと、さらにＶＬＡＮタグＩＤとの組であるトンネル識別子により定義されている。例えば、図２２（ｂ）のデータフレーム用トンネルテーブルのトンネルＩＤ１は、図１７に示すＡＰ制御装置５００と無線ＬＡＮ基地局装置６００Ａとの間に形成されるデータフレーム用トンネル♯１を規定している。
【０１１０】
さらに、データフレーム用トンネルテーブルでは、宛先ＭＡＣアドレスと送信元ＭＡＣアドレスとＶＬＡＮタグＩＤとの組からなるトンネル識別子と、ＢＳＳＩＤとが対応づけられている。これにより、無線ＬＡＮ基地局装置６００が受け取ったデータフレームが送信されるべき通信端末装置３００に割り当てられたＢＳＳＩＤを特定すれば、このデータフレームをどのデータトンネルに送出するべきか特定することができる。
【０１１１】
なお、トンネル作成管理部６０１の動作は、基本的に図８に示したトンネル作成管理部２０２の動作と同様であるので、説明は省略する。ただし、トンネル作成管理部６０１が扱うトンネル識別子は、宛先ＭＡＣアドレスと送信元ＭＡＣアドレスとさらにＶＬＡＮタグＩＤとの組である点が異なる。
【０１１２】
このように実施の形態２によれば、ＡＰ制御装置５００に、複数のデータトンネルを形成するトンネル形成管理手段、および送信データの種別に応じてデータトンネルを使い分けて送信する制御手段としてのトンネル作成管理部５０１を設けた。このトンネル作成管理部５０１は、データトンネル識別情報（本実施の形態においては、ＶＬＡＮタグＩＤ）に応じた前記複数のデータトンネルを形成する。
【０１１３】
こうすることにより、例えば、制御用データと制御用データ以外のデータとにおいて、データトンネルを使い分けることにより、制御用データが送信先に到達する確実性が増す結果、ＡＰ制御装置５００と無線ＬＡＮ基地局装置６００との間の制御の確実性が増す。そのため、通信の安定性、安全性を向上することができる。
【０１１４】
また、実施の形態２によれば、無線ＬＡＮ基地局装置６００に、複数のデータトンネルを形成するトンネル形成管理手段、および送信データの種別に応じてデータトンネルを使い分けて送信する制御手段としてのトンネル作成管理部６０１を設けた。
【０１１５】
こうすることにより、例えば、制御用データと制御用データ以外のデータとにおいて、データトンネルを使い分けることにより、制御用データが送信先に到達する確実性が増す結果、ＡＰ制御装置５００と無線ＬＡＮ基地局装置６００との間の制御の確実性が増す。そのため、通信の安定性、安全性を向上することができる。
【０１１６】
かくして実施の形態２によれば、ＡＰ制御装置５００と無線ＬＡＮ基地局装置６００との間の制御の確実性を増し、通信の安定性、安全性を向上することができる通信システム１０Ａを構築することができる。
【０１１７】
（実施の形態３）
実施の形態３に係る通信システム３０は、図２３に示すように、無線ＬＡＮ基地局装置９００と、無線ＬＡＮ基地局装置９００との間に無線ＬＡＮ基地局装置９００の基地局ＭＡＣアドレスと自身の制御局ＭＡＣアドレスとにより定まる、すなわち定義されるデータトンネルを形成しこのデータトンネルを用いて通信を行う無線ＬＡＮ基地局制御装置としてのＡＰ制御装置８００と、無線ＬＡＮ基地局装置９００にアクセスして通信を行う通信端末装置３００と、ネットワークシステム１０００とを備える。そして、ＡＰ制御装置８００は、通信システム３０から見て外側にある複数のネットワークシステム（ここでは、ネットワークシステム４０〜６０）と接続されている。
【０１１８】
図２４に示すように、通信システム３０においては、先に説明した通信システム１０におけるＡＰ制御装置１００および無線ＬＡＮ基地局装置２００と同様に、ＡＰ制御装置８００と無線ＬＡＮ基地局装置９００との間に、制御用フレームを通すデータトンネルと、制御用フレーム以外のデータ用フレームを通すデータトンネルとが形成されている。そして、通信システム３０においても、通信システム１０と同様に、ＡＰ制御装置８００と無線ＬＡＮ基地局装置９００との間に複数のデータトンネルを形成することができ、かつ、フレームの種別（制御用フレーム、制御用フレーム以外のデータ用フレームなど）に応じてデータトンネルを使い分けることができる。
【０１１９】
ただし、通信システム３０においては、さらに、形成されたデータトンネルをグループ化して、グルーピングされたデータトンネルで仮想的なＬＡＮを形成する。具体的には、例えばデータフレーム用トンネル＃１およびデータフレーム用トンネル＃６は、同一のトンネルグループ識別子＃１００がつけられており、これらのデータトンネルにより仮想的なＬＡＮが構築されている。こうすることにより、特に下りにおいてブロードキャストのフレームが送信される場合にＡＰ制御装置８００において送出先となる各データトンネルに対するユニキャストフレームを作る必要がなく、トンネルグループ単位でブロードキャストフレームを送信すればよいので、ＡＰ制御装置８００における処理量を低減することができる。
【０１２０】
さらに、ＡＰ制御装置８００の外側にあるネットワークシステムの網識別子とトンネルグループ識別子とを対応づけることにより、ＡＰ制御装置８００は、ブロードキャストフレームが送信されてきたネットワークシステムに応じて、どの仮想的なＬＡＮに送信するのか決定できるので、処理量を低減することができる。なお、例えばＶＬＡＮタグのプライオリティビットを用いて、トンネルグループ単位の優先度を決めることも可能である。
【０１２１】
図２５に示すように、ＡＰ制御装置８００は、網側入出力部８０１と、スイッチング部８０２と、ＡＰ管理部８０３と、トンネル作成管理部８０４と、トンネル管理データベース部８０５と、端末側入出力部８０６とを有する。
【０１２２】
網側入出力部８０１は、網側、すなわちネットワークシステム４０乃至６０側に対するフレームの入出力を行う。具体的には、ネットワークシステム４０乃至６０側から入力されるフレームをスイッチング部８０２に送出し、また、スイッチング部８０２から入力されるフレームを送出すべきネットワークシステム４０乃至６０へ送出する。
【０１２３】
スイッチング部８０２は、入力されるフレームを網側か端末側かのどちらかにスイッチングする。具体的には、スイッチング部８０２は、入力されるフレームを網側入出力部８０１又はトンネル作成管理部８０４へ送出する。また、スイッチング部８０２は、受け取ったフレームのＥｔｈｅｒヘッダなどを用いて８０２．１１フレームのヘッダを作成し、トンネル作成管理部８０４におけるトンネルヘッダ作成処理の準備処理を行う。
【０１２４】
ＡＰ管理部８０３は、無線ＬＡＮ基地局装置８００の管理を行うための処理を行う。具体的には、無線ＬＡＮ基地局装置８００を制御するためのＡＰ制御用フレームを生成し、トンネル作成管理部８０４へ送出する。
【０１２５】
トンネル作成管理部８０４は、データトンネルの作成およびトンネル管理データベース部８０５の管理などを行う。また、トンネル作成管理部８０４は、入力されるフレームをデータトンネルに振り分ける。さらに、入力されるフレームがブロードキャストである場合には、そのフレームが送出されるべき仮想的なＬＡＮに対して送出する。また、トンネル作成管理部８０４は、トンネルヘッダの作成処理を行う。なお、このトンネル作成管理部８０４の動作の詳細については、後述する。
【０１２６】
トンネル管理データベース部８０５は、図２６に示すように、ＡＰ制御用トンネルテーブルと、データフレーム用トンネルテーブルと、データフレーム用対応テーブルと、グループ対応テーブルとを備える。
【０１２７】
ＡＰ制御用トンネルテーブルには、図２６（ａ）に示すように、制御用フレームを通信するためのデータトンネルがエントリされており、各々のデータトンネルは、宛先ＭＡＣアドレスと送信元ＭＡＣアドレスの組により定義（規定）されている。また、各データトンネルは、トンネルグループ識別子と対応づけられている。
【０１２８】
データフレーム用トンネルテーブルには、図２６（ｂ）に示すように、データフレームを通信するためのデータトンネルがエントリされており、各々のデータトンネルは、宛先ＭＡＣアドレスと送信元ＭＡＣアドレスの組により定義（規定）されている。なお、ここでは、ＢＳＳＩＤが無線ＬＡＮ基地局装置９００のＭＡＣアドレスとして利用されている。また、各データトンネルは、トンネルグループ識別子と対応づけられている。そして、例えば、図２６（ｂ）のデータフレーム用トンネルテーブルのトンネルＩＤ１およびトンネルＩＤ６はトンネルグループ識別子が＃１００で同じであり、トンネルＩＤ１およびトンネルＩＤ６により特定されるデータトンネルは同一の仮想的なＬＡＮを形成している。
【０１２９】
データフレーム用対応テーブルには、図２９（ｃ）に示すように、データフレームごとにどのデータトンネルを利用するかが定義（規定）されている。例えば、通信端末装置３００Ａの端末識別子がＴ１であるとすれば、通信端末装置３００ＡとＡＰ制御装置８００との間でデータフレームを遣り取りする場合には、データフレーム用トンネルテーブルのトンネルＩＤ１のデータトンネルを利用することが定義（規定）されている。
【０１３０】
グループ対応テーブルには、図２６（ｄ）に示すように、網識別子とトンネルグループ識別子とが対応づけられている。このグループ対応テーブルは、特に下りにおいてブロードキャストのフレームが送信される場合に用いられるものであり、ブロードキャストフレームが送信されてきたネットワークシステムの網識別子に対し、そのブロードキャストフレームを送出すべき仮想的なＬＡＮを特定するトンネルグループ識別子が対応づけられている。具体的には、図２６（ｄ）に示すグループ対応テーブルのインデックス１には、網識別子１とトンネルグループ識別子＃１００とが対応づけられており、これは図２４に示すネットワークシステム４０から送信されてきたブロードキャストフレームはトンネルグループ識別子＃１００により特定される仮想的なＬＡＮに送出されることを規定している。
【０１３１】
次いで、スイッチング部８０２の動作について図２７を参照して説明する。なお、図２７においては、特に下りのフレームの流れ、すなわちスイッチング部８０２が網側入出力部８０１からのフレームを入力した場合についてのみ示している。
【０１３２】
網側入出力部８０１からフレームを受け取ると、スイッチング部８０２は、まず、そのフレームの宛先ＭＡＣアドレスがユニキャストアドレスであるか否かを判定する（ステップＳＴ２６０１）。
【０１３３】
判定の結果、ユニキャストアドレスであるとき（ステップＳＴ２６０１：ＹＥＳ）には、スイッチング部８０２は、このユニキャストアドレスがフレームの送信先となる通信端末装置３００の端末識別子であるので、この端末識別子をキーとして、トンネル作成管理部８０４を介してトンネル管理データベース部８０５のデータフレーム用対応テーブルおよびデータフレーム用トンネルテーブルを参照し、その端末識別子から特定される通信端末装置３００が割り当てられたＢＳＳＩＤを取り出す（ステップＳＴ２６０２）。具体的には、スイッチング部８０２は、データフレーム用対応テーブルを参照し、端末識別子をキーとして、これに対応するトンネルＩＤを特定する。そしてデータフレーム用トンネルテーブルを参照し、特定されたトンネルＩＤをキーとして、トンネル識別子の宛先ＭＡＣアドレスを取り出す。本実施の形態においては、このトンネル識別子の宛先ＭＡＣアドレスにＢＳＳＩＤを用いているため、トンネル識別子の宛先ＭＡＣアドレスを取り出すことでＢＳＳＩＤを取得することができる。
【０１３４】
ステップＳＴ２６０３において、スイッチング部８０２は、網側から送られてきたフレームに付加されているＥｔｈｅｒヘッダとステップＳＴ２６０２にて取得したＢＳＳＩＤを用いて、８０２．１１フレームのヘッダを作成する。具体的には、Ｅｔｈｅｒヘッダの宛先ＭＡＣアドレスを８０２．１１フレームのＡｄｄ１に入れ、Ｅｔｈｅｒヘッダの送信元ＭＡＣアドレスを８０２．１１フレームのＡｄｄ３に入れ、ステップＳＴ２６０２にて取得したＢＳＳＩＤをＡｄｄ２に入れる。
【０１３５】
ステップＳＴ２６０４において、スイッチング部８０２は、ステップＳＴ２６０３にて作成されたヘッダが付加された８０２．１１フレームをトンネル作成管理部８０４に送出する。
【０１３６】
また、ステップＳＴ２６０１における判定の結果、ユニキャストアドレスでないとき（ステップＳＴ２６０１：ＮＯ）には、スイッチング部８０２は、網側から送られてきたフレームに付加されているＥｔｈｅｒヘッダを用いて、８０２．１１フレームのヘッダを作成する（ステップＳＴ２６０５）。具体的には、Ｅｔｈｅｒヘッダの宛先ＭＡＣアドレスを８０２．１１フレームのＡｄｄ１に入れ、Ｅｔｈｅｒヘッダの送信元ＭＡＣアドレスを８０２．１１フレームのＡｄｄ３に入れ、ブロードキャストアドレスをＡｄｄ２に入れる。
【０１３７】
ステップＳＴ２６０６において、スイッチング部８０２は、ステップＳＴ２６０５にて作成されたヘッダが付加された８０２．１１フレームをトンネル作成管理部８０４に送出する。
【０１３８】
次いで、トンネル作成管理部８０４の動作について図２８を参照して説明する。
【０１３９】
まずステップＳＴ２７０１においてフレームを受け取ると、トンネル作成管理部８０４は、そのフレームをどこから受け取ったのかを判断する（ステップＳＴ２７０２）。
【０１４０】
ステップＳＴ２７０２にてフレームをスイッチング部８０２又はＡＰ管理部８０３から受け取ったと判断したときには、トンネル作成管理部８０４は、そのフレームがデータフレームかＡＰ制御用フレームかを判断する（ステップＳＴ２７０３）。
【０１４１】
ステップＳＴ２７０３にてフレームがデータフレームであると判断したときには、トンネル作成管理部８０４は、そのデータフレームのＡｄｄ１がユニキャストアドレスか否かを判定する（ステップＳＴ２７０４）。
【０１４２】
判定の結果、Ａｄｄ１がユニキャストアドレスでない場合（ステップＳＴ２７０４：ＮＯ）には、そのデータフレームに付加されている、データフレームがどのネットワークシステムから送信されてきたものなのかを示す網識別子をキーとして、トンネル作成管理部８０４はグループ対応テーブルを参照し、対応するトンネルグループ識別子を取り出す（ステップＳＴ２７０５）。
【０１４３】
ステップＳＴ２７０６において、トンネル作成管理部８０４は、トンネルヘッダを作成する。具体的には、トンネルヘッダの宛先ＭＡＣアドレスにはブロードキャストアドレスを入れ、送信元ＭＡＣアドレスには自ポートのＭＡＣアドレスを入れ、ＶＬＡＮタグ領域にはステップＳＴ２７０５にて取り出したトンネルグループ識別子を入れることにより、トンネルヘッダを作成する。そして、作成したトンネルヘッダを８０２．１１フレームに付加して、すなわち作成したトンネルヘッダで８０２．１１フレームをカプセル化して端末側入出力部８０６に送出する。
【０１４４】
ステップＳＴ２７０４における判定の結果、Ａｄｄ１がユニキャストアドレスである場合（ステップＳＴ２７０４：ＹＥＳ）には、トンネル作成管理部８０４は、そのＡｄｄ１の宛先ＭＡＣアドレスとして格納されている端末識別子をキーとして、データフレーム用対応テーブルを検索し、対応するトンネルＩＤを取り出す（ステップＳＴ２７０７）。
【０１４５】
ステップＳＴ２７０８において、トンネル作成管理部８０４は、ステップＳＴ２７０７にて取得したトンネルＩＤをキーとして、データフレーム用トンネルテーブルを検索し、対応するトンネル識別子およびトンネルグループ識別子を取り出す。
【０１４６】
ステップＳＴ２７０３にてフレームがＡＰ制御用フレームであると判断したときには、トンネル作成管理部８０４は、そのＡＰ制御用フレームに含まれ、制御対象である無線ＬＡＮ基地局装置９００のＭＡＣアドレスをキーとして、ＡＰ制御用トンネルテーブルを検索し、トンネル識別子およびトンネルグループ識別子を取り出す（ステップＳＴ２７０９）。
【０１４７】
ステップＳＴ２７１０においてトンネル作成管理部８０４は、ステップＳＴ２７０８又はステップＳＴ２７０９にて取り出したトンネル識別子およびトンネルグループ識別子を基にしてトンネルヘッダを作成し、このトンネルヘッダを付加したフレームを端末側入出力部８０６に送出する。
【０１４８】
ステップＳＴ２７０２にてフレームを端末側入出力部８０６から受け取ったと判断したときには、トンネル作成管理部８０４は、受け取ったフレームのトンネルヘッダの検査を行う（ステップＳＴ２７１１）。
【０１４９】
そして、ステップＳＴ２７１２において、トンネル作成管理部８０４は、受け取ったフレームのトンネルヘッダの宛先ＭＡＣアドレス、送信元ＭＡＣアドレスおよびトンネルグループ識別子の組がデータフレーム用トンネルテーブルにエントリされているか否かを判定する。
【０１５０】
判定の結果、エントリされているとき（ステップＳＴ２７１２：ＹＥＳ）には、トンネル作成管理部８０４は、トンネルヘッダを外す、すなわちデカプセル化する（ステップＳＴ２７１３）。
【０１５１】
ステップＳＴ２７１４において、トンネル作成管理部８０４は、デカプセル化したフレームがデータフレームであるか制御用フレームであるかを判断する。
【０１５２】
ステップＳＴ２７１４の判断の結果、データフレームであると判断したときには、トンネル作成管理部８０４は、そのデータフレームに含まれる送信元ＭＡＣアドレス（ここでは、通信端末装置９００のＭＡＣアドレス）をキーとしてデータフレーム用トンネルテーブルから対応するトンネルＩＤを検索し、そのトンネルＩＤと端末識別子（通信端末装置９００のＭＡＣアドレス）とを対応づけてデータフレーム用対応テーブルに格納する（ステップＳＴ２７１５）。
【０１５３】
トンネル作成管理部８０４は、そのデータフレームをスイッチング部８０２に送出する（ステップＳＴ２７１６）。
【０１５４】
ステップＳＴ２７１２における判定の結果、エントリされていないとき（ステップＳＴ２７１２：ＮＯ）には、そのフレームを廃棄する（ステップＳＴ２７１７）。
【０１５５】
ステップＳＴ２７１４の判断の結果、制御用フレームであると判断したときには、その制御用フレームをＡＰ管理部８０３に送出する（ステップＳＴ２７１８）。
【０１５６】
図２９に示すように、無線ＬＡＮ基地局装置９００は、網側入出力部９０１と、トンネル作成管理部９０２と、トンネル管理データベース部９０３と、フレーム転送部９０４と、端末側入出力部９０５と、ＡＰ管理部９０６とを備える。
【０１５７】
網側入出力部９０１は、網側、すなわちＡＰ制御装置８００側に対するフレームの入出力を行う。具体的には、ＡＰ制御装置８００側から入力されるフレームをトンネル作成管理部９０２に送出し、また、トンネル作成管理部９０２から入力されるフレームをＡＰ制御装置８００へ送出する。
【０１５８】
トンネル作成管理部９０２は、データトンネルの作成およびトンネル管理データベース部９０３の管理などを行う。また、トンネル作成管理部９０２は、入力されるフレームをデータトンネルに振り分ける。このトンネル作成管理部９０２の動作の詳細については、後述する。
【０１５９】
トンネル管理データベース部９０３は、図３０に示すように、ＡＰ制御用トンネルテーブルと、データフレーム用トンネルテーブルとを備える。
【０１６０】
ＡＰ制御用トンネルテーブルには、図３０（ａ）に示すように、制御用フレームを通信するためのデータトンネルがエントリされており、データトンネルは、宛先ＭＡＣアドレスと送信元ＭＡＣアドレスの組により定義されている。また、データトンネルは、トンネルグループ識別子と対応づけられている。
【０１６１】
データフレーム用トンネルテーブルには、図３０（ｂ）に示すように、データフレームを通信するためのデータトンネルがエントリされており、各々のデータトンネルは、宛先ＭＡＣアドレスと送信元ＭＡＣアドレスの組により定義（規定）されている。なお、ここでは、ＢＳＳＩＤが無線ＬＡＮ基地局装置９００のＭＡＣアドレスとして利用されている。また、各データトンネルは、トンネルグループ識別子と対応づけられている。
【０１６２】
フレーム転送部９０４は、トンネル作成管理部９０２から受け取るフレームに適切なプロトコル処理を行い、プロトコル処理後のフレームを端末側入出力部９０５に送出する。また、フレーム転送部９０４は、端末側入出力部９０５から受け取るフレームに適切なプロトコル処理を行い、プロトコル処理後のフレームをトンネル作成管理部９０２に送出する。
【０１６３】
端末側入出力部９０５は、通信端末装置３００からのフレームをフレーム転送部９０４に送出し、またフレーム転送部９０４からのフレームを通信端末装置３００に送出する。
【０１６４】
ＡＰ管理部９０６は、自装置、すなわち無線ＬＡＮ基地局装置９００の管理を行うための処理を行う。具体的には、ＡＰ制御装置８００からの無線ＬＡＮ基地局装置９００を制御するための制御用フレーム（以下、ＡＰ制御用フレームという）を受け取り、自装置を管理するとともに、ＡＰ制御用フレームに応答してＡＰ制御装置８００に送出するための制御用フレームを生成し、トンネル作成管理部９０２に送出する。
【０１６５】
次いで、トンネル作成管理部９０２の動作について図３１を参照して説明する。
【０１６６】
まずステップＳＴ２８０１においてフレームを受け取ると、トンネル作成管理部９０２は、そのフレームをどこから受け取ったのかを判断する（ステップＳＴ２８０２）。
【０１６７】
ステップＳＴ２８０２にてフレームをフレーム転送部９０４又はＡＰ管理部９０６から受け取ったと判断したときには、トンネル作成管理部９０２は、そのフレームがデータフレームか制御用フレームかを判断する（ステップＳＴ２８０３）。
【０１６８】
ステップＳＴ２８０３にてフレームがデータフレームであると判断したときには、トンネル作成管理部９０２は、そのフレームに含まれるＢＳＳＩＤを取得する（ステップＳＴ２８０４）。なお、ＢＳＳＩＤは、８０２．１１ヘッダのＡｄｄ１に格納されている。
【０１６９】
ステップＳＴ２８０５において、トンネル作成管理部９０２は、ステップＳＴ２８０４にて取り出したＢＳＳＩＤをキーとして、データフレーム用トンネルテーブルを検索し、このＢＳＳＩＤと対応する送信元ＭＡＣアドレスが格納されているトンネル識別子、すなわち宛先ＭＡＣアドレスおよび送信元ＭＡＣアドレスと、トンネルグループ識別子とを取り出す。
【０１７０】
ステップＳＴ２８０６において、トンネル作成管理部９０２は、ステップＳＴ２８０５又は後述のステップＳＴ２８０７にて取り出したトンネル識別子およびトンネルグループ識別子を基にトンネルヘッダを作成し、フレームにヘッダとして含めて、すなわちカプセルリングして、網側入出力部９０１へ送出する。
【０１７１】
ステップＳＴ２８０３にてフレームが制御用フレームであると判断したときには、トンネル作成管理部９０２は、その制御用フレームに含まれ、送信の対象であるＡＰ制御装置８００のＭＡＣアドレスをキーとして、ＡＰ制御用トンネルテーブルを検索し、トンネル識別子およびトンネルグループ識別子を取り出す（ステップＳＴ２８０７）。
【０１７２】
ステップＳＴ２８０２にてフレームを網側入出力部９０１から受け取ったと判断したときには、トンネル作成管理部９０２は、受け取ったフレームにおけるトンネルヘッダの宛先ＭＡＣアドレスがユニキャストアドレスであるか否かを判定する（ステップＳＴ２８０８）。
【０１７３】
判定の結果、ユニキャストアドレスである場合（ステップＳＴ２８０８：ＹＥＳ）には、トンネルヘッダを外す、すなわちデカプセル化する（ステップＳＴ２８０９）。
【０１７４】
そしてステップＳＴ２８１０において、トンネル作成管理部９０２は、デカプセル化したフレームがデータフレームであるかＡＰ制御用フレームであるかを判断する。
【０１７５】
ステップＳＴ２８１０の判断の結果、データフレームであると判断したときには、トンネル作成管理部９０２は、そのデータフレームをフレーム転送部９０４に送出する（ステップＳＴ２８１１）。
【０１７６】
ステップＳＴ２８１０の判断の結果、ＡＰ制御装置８００からのＡＰ制御用フレームであると判断したときには、トンネル作成管理部９０２は、そのＡＰ制御用フレームをＡＰ管理部９０６に送出する（ステップＳＴ２８１２）。
【０１７７】
ステップＳＴ２８０８における判定の結果、ユニキャストアドレスでない場合（ステップＳＴ２８０８：ＮＯ）には、トンネル作成管理部９０２は、受け取ったフレームのトンネルヘッダの宛先ＭＡＣアドレスとＶＬＡＮタグＩＤ領域にあるトンネルグループ識別子とに対応するエントリが、データフレーム用トンネルテーブルにあるか判定する（ステップＳＴ２８１３）。
【０１７８】
判定の結果、エントリが存在する場合（ステップＳＴ２８１３：ＹＥＳ）には、トンネル作成管理部９０２は、トンネルヘッダを外す、すなわちデカプセル化する（ステップＳＴ２８１４）。
【０１７９】
ステップＳＴ２８１５において、トンネル作成管理部９０２は、デカプセル化したフレームがデータフレームであるかＡＰ制御用フレームであるかを判断する。
【０１８０】
ステップＳＴ２８１５の判断の結果、ＡＰ制御装置８００からのＡＰ制御用フレームであると判断したときには、トンネル作成管理部９０２は、そのＡＰ制御用フレームをＡＰ管理部９０６に送出する（ステップＳＴ２８１２）。
【０１８１】
ステップＳＴ２８１５の判断の結果、データフレームである場合には、トンネル作成管理部９０２は、ステップＳＴ２８１４にて外したトンネルヘッダのＶＬＡＮタグＩＤ領域に含まれるトンネルグループ識別子をキーとして、データフレーム用対応テーブルを参照し、対応するトンネル識別子の送信元ＭＡＣアドレスとしてのＢＳＳＩＤを取り出す（ステップＳＴ２８１６）。
【０１８２】
ステップＳＴ２８１７において、トンネル作成管理部９０２は、８０２．１１フレームのＡｄｄ２（ここには、ブロードキャストアドレスが入っている）をステップＳＴ２８１６にて取り出したＢＳＳＩＤで上書きする。
【０１８３】
ステップＳＴ２８１８において、トンネル作成管理部９０２は、ステップＳＴ２８１７にてヘッダ部分を修正した８０２．１１フレームをフレーム転送部９０４に送出する。
【０１８４】
ステップＳＴ２８１３における判定の結果、エントリが存在しない場合（ステップＳＴ２８１３：ＮＯ）には、トンネル作成管理部９０２は、受け取ったフレームを廃棄する（ステップＳＴ２８１９）。
【０１８５】
このように実施の形態３によれば、ＡＰ制御装置８００に、複数のデータトンネルを形成するトンネル形成管理手段、および送信データの種別に応じてデータトンネルを使い分けて送信する制御手段としてのトンネル作成管理部８０４を設けた。このトンネル作成管理部８０４は、異なる無線ＬＡＮ基地局装置９００との間に形成されたデータトンネルにトンネルグループ識別情報を付加し当該トンネルグループ識別情報に応じた仮想ＬＡＮを形成する。
【０１８６】
こうすることにより、複数のデータトンネルをグループ化できるので、データトンネルよりも大きな単位（仮想ＬＡＮ）での制御を容易に行うことができる。
【０１８７】
（実施の形態４）
実施の形態４に係る通信システム７０は、図３２に示すように、無線ＬＡＮ基地局装置１２００と、無線ＬＡＮ基地局装置１２００との間に無線ＬＡＮ基地局装置１２００の基地局ＭＡＣアドレスと自身の制御局ＭＡＣアドレスとにより定まる、すなわち定義されるデータトンネルを形成しこのデータトンネルを用いて通信を行う無線ＬＡＮ基地局制御装置としてのＡＰ制御装置１１００と、無線ＬＡＮ基地局装置１２００にアクセスして通信を行う通信端末装置３００と、ネットワークシステム１３００とを備える。そして、ＡＰ制御装置１１００は、通信システム７０から見て外側にある複数のネットワークシステム（ここでは、ネットワークシステム４０〜６０）と接続されている。
【０１８８】
図３３に示すように、通信システム７０においては、先に説明した先に説明した通信システム１０ＡにおけるＡＰ制御装置５００および無線ＬＡＮ基地局装置６００と同様に、ＡＰ制御装置１１００と無線ＬＡＮ基地局装置１２００との間に、制御用フレームを通すデータトンネルと、制御用フレーム以外のデータ用フレームを通すデータトンネルとが形成されている。そして、通信システム７０においても、通信システム１０Ａと同様に、ＡＰ制御装置１１００と無線ＬＡＮ基地局装置１２００との間に複数のデータトンネルを形成することができ、かつ、フレームの種別（制御用フレーム、制御用フレーム以外のデータ用フレームなど）に応じてデータトンネルを使い分けることができる。
【０１８９】
ただし、通信システム７０においては、さらに、形成されたデータトンネルをグループ化して、グルーピングされたデータトンネルで仮想的なＬＡＮを形成する。具体的には、例えばデータフレーム用トンネル＃１およびデータフレーム用トンネル＃６は、同一のトンネルグループ識別子＃１００がつけられており、これらのデータトンネルにより仮想的なＬＡＮが構築されている。こうすることにより、特に下りにおいてブロードキャストのフレームが送信される場合にＡＰ制御装置１１００において送出先となる各データトンネルに対するユニキャストフレームを作る必要がなく、トンネルグループ単位でブロードキャストフレームを送信すればよいので、ＡＰ制御装置１１００における処理量を低減することができる。
【０１９０】
さらに、ＡＰ制御装置１１００の外側にあるネットワークシステムの網識別子とトンネルグループ識別子とを対応づけることにより、ＡＰ制御装置１１００は、ブロードキャストフレームが送信されてきたネットワークシステムに応じて、どの仮想的なＬＡＮに送信するのか決定できるので、処理量を低減することができる。なお、例えばＶＬＡＮタグのプライオリティビットを用いて、トンネルグループ単位の優先度を決めることも可能である。
【０１９１】
図３４に示すように、ＡＰ制御装置１１００は、網側入出力部１１０１と、スイッチング部１１０２と、ＡＰ管理部１１０３と、トンネル作成管理部１１０４と、トンネル管理データベース部１１０５と、端末側入出力部１１０６とを有する。
【０１９２】
網側入出力部１１０１は、網側、すなわちネットワークシステム４０乃至６０側に対するフレームの入出力を行う。具体的には、ネットワークシステム４０乃至６０側から入力されるフレームをスイッチング部１１０２に送出し、また、スイッチング部１１０２から入力されるフレームを送出すべきネットワークシステム４０乃至６０へ送出する。
【０１９３】
スイッチング部１１０２は、入力されるフレームを網側か端末側かのどちらかにスイッチングする。具体的には、スイッチング部１１０２は、入力されるフレームを網側入出力部１１０１又はトンネル作成管理部１１０４へ送出する。また、スイッチング部１１０２は、受け取ったフレームのＥｔｈｅｒヘッダなどを用いて８０２．１１フレームのヘッダを作成し、トンネル作成管理部１１０４におけるトンネルヘッダ作成処理の準備処理を行う。
【０１９４】
ＡＰ管理部１１０３は、無線ＬＡＮ基地局装置１２００の管理を行うための処理を行う。具体的には、無線ＬＡＮ基地局装置１２００を制御するためのＡＰ制御用フレームを生成し、トンネル作成管理部１１０４へ送出する。
【０１９５】
トンネル作成管理部１１０４は、データトンネルの作成およびトンネル管理データベース部１１０５の管理などを行う。また、トンネル作成管理部１１０４は、入力されるフレームをデータトンネルに振り分ける。さらに、入力されるフレームがブロードキャストである場合には、そのフレームが送出されるべき仮想的なＬＡＮに対して送出する。また、トンネル作成管理部１１０４は、トンネルヘッダの作成処理を行う。
【０１９６】
トンネル管理データベース部１１０５は、図３５に示すように、ＡＰ制御用トンネルテーブルと、データフレーム用トンネルテーブルと、データフレーム用対応テーブルと、グループ対応テーブルとを備える。
【０１９７】
ＡＰ制御用トンネルテーブルには、図３５（ａ）に示すように、制御用フレームを通信するためのデータトンネルがエントリされており、各々のデータトンネルは、宛先ＭＡＣアドレスと送信元ＭＡＣアドレスと、さらにＶＬＡＮタグＩＤとの組により定義（規定）されている。
【０１９８】
データフレーム用トンネルテーブルには、図３５（ｂ）に示すように、データフレームを通信するためのデータトンネルがエントリされており、各々のデータトンネルは、宛先ＭＡＣアドレスと送信元ＭＡＣアドレスとさらにＶＬＡＮタグＩＤとの組により定義（規定）されている。
【０１９９】
さらに、データフレーム用トンネルテーブルでは、宛先ＭＡＣアドレスと送信元ＭＡＣアドレスとＶＬＡＮタグＩＤとの組からなるトンネル識別子と、トンネルグループ識別子とが対応づけられている。そして、例えば、図３５（ｂ）のデータフレーム用トンネルテーブルのトンネルＩＤ１およびトンネルＩＤ６はトンネルグループ識別子が＃１００で同じであり、トンネルＩＤ１およびトンネルＩＤ６により特定されるデータトンネルは同一の仮想的なＬＡＮを形成している。
【０２００】
データフレーム用対応テーブルには、図３５（ｃ）に示すように、データフレームごとにどのデータトンネルを利用するかが定義（規定）されている。例えば、通信端末装置３００Ａの端末識別子がＴ１であるとすれば、通信端末装置３００ＡとＡＰ制御装置１１００との間でデータフレームを遣り取りする場合には、データフレーム用トンネルテーブルのトンネルＩＤ１のデータトンネルを利用することが定義（規定）されている。
【０２０１】
グループ対応テーブルには、図３５（ｄ）に示すように、網識別子とトンネルグループ識別子とが対応づけられている。このグループ対応テーブルは、特に下りにおいてブロードキャストのフレームが送信される場合に用いられるものであり、ブロードキャストフレームが送信されてきたネットワークシステムの網識別子に対し、そのブロードキャストフレームを送出すべき仮想的なＬＡＮを特定するトンネルグループ識別子が対応づけられている。
【０２０２】
端末側入出力部１１０６は、トンネル作成管理部１１０４から受け取るフレームを無線ＬＡＮ基地局装置１２００に対して送出し、また無線ＬＡＮ基地局装置１２００からのフレームをトンネル作成管理部１１０４に送出する。
【０２０３】
なお、スイッチング部１１０２およびトンネル作成管理部１１０４の動きは、実施の形態３におけるスイッチング部８０２およびトンネル作成管理部８０４の動き（図２７および図２８参照）と同様であるため、その説明を省略する。
【０２０４】
図３６に示すように、無線ＬＡＮ基地局装置１２００は、網側入出力部１２０１と、トンネル作成管理部１２０２と、トンネル管理データベース部１２０３と、フレーム転送部１２０４と、端末側入出力部１２０５と、ＡＰ管理部１２０６とを備える。
【０２０５】
網側入出力部１２０１は、網側、すなわちＡＰ制御装置１１００側に対するフレームの入出力を行う。具体的には、ＡＰ制御装置１１００側から入力されるフレームをトンネル作成管理部１２０２に送出し、また、トンネル作成管理部１２０２から入力されるフレームをＡＰ制御装置１１００へ送出する。
【０２０６】
トンネル作成管理部１２０２は、データトンネルの作成およびトンネル管理データベース部１２０３の管理などを行う。また、トンネル作成管理部１２０２は、入力されるフレームをデータトンネルに振り分ける。
【０２０７】
トンネル管理データベース部１２０３は、図３７に示すように、ＡＰ制御用トンネルテーブルと、データフレーム用トンネルテーブルとを備える。
【０２０８】
ＡＰ制御用トンネルテーブルには、図３７（ａ）に示すように、制御用フレームを通信するためのデータトンネルがエントリされており、データトンネルは、宛先ＭＡＣアドレスと送信元ＭＡＣアドレスとさらにＶＬＡＮタグＩＤとの組により定義されている。また、データトンネルは、トンネルグループ識別子と対応づけられている。
【０２０９】
データフレーム用トンネルテーブルには、図３７（ｂ）に示すように、データフレームを通信するためのデータトンネルがエントリされており、各々のデータトンネルは、宛先ＭＡＣアドレスと送信元ＭＡＣアドレスとさらにＶＬＡＮタグＩＤとの組により定義（規定）されている。また、各データトンネルは、トンネルグループ識別子と対応づけられている。
【０２１０】
フレーム転送部１２０４は、トンネル作成管理部１２０２から受け取るフレームに適切なプロトコル処理を行い、プロトコル処理後のフレームを端末側入出力部１２０５に送出する。また、フレーム転送部１２０４は、端末側入出力部１２０５から受け取るフレームに適切なプロトコル処理を行い、プロトコル処理後のフレームをトンネル作成管理部１２０２に送出する。
【０２１１】
端末側入出力部１２０５は、通信端末装置３００からのフレームをフレーム転送部１２０４に送出し、またフレーム転送部１２０４からのフレームを通信端末装置３００に送出する。
【０２１２】
ＡＰ管理部１２０６は、自装置、すなわち無線ＬＡＮ基地局装置１２００の管理を行うための処理を行う。具体的には、ＡＰ制御装置１１００からの無線ＬＡＮ基地局装置１２００を制御するための制御用フレーム（以下、ＡＰ制御用フレームという）を受け取り、自装置を管理するとともに、ＡＰ制御用フレームに応答してＡＰ制御装置１１００に送出するための制御用フレームを生成し、トンネル作成管理部１２０２に送出する。
【０２１３】
次いで、トンネル作成管理部１２０２の動作について図３８を参照して説明する。なお、基本的には、図３１に示すトンネル作成管理部９０２の動きと同様であるので、異なる点についてのみ説明する。
【０２１４】
ステップＳＴ２８１５の判断の結果、データフレームである場合には、トンネル作成管理部１２０２は、ステップＳＴ２８１４にて外したトンネルヘッダのＶＬＡＮタグＩＤ領域に含まれるトンネルグループ識別子をキーとして、データフレーム用対応テーブルを参照し、対応するＢＳＳＩＤを取り出す（ステップＳＴ２９０１）。
【０２１５】
ステップＳＴ２９０２において、トンネル作成管理部１２０２は、８０２．１１フレームのＡｄｄ２（ここには、ブロードキャストアドレスが入っている）をステップＳＴ２９０１にて取り出したＢＳＳＩＤで上書きする。
【０２１６】
ステップＳＴ２９０３において、トンネル作成管理部１２０２は、ステップＳＴ２９０２にてヘッダ部分を修正した８０２．１１フレームをフレーム転送部１２０４に送出する。
【０２１７】
このように実施の形態４によれば、ＡＰ制御装置１１００に、複数のデータトンネルを形成するトンネル形成管理手段、および送信データの種別に応じてデータトンネルを使い分けて送信する制御手段としてのトンネル作成管理部１１０４を設けた。このトンネル作成管理部１１０４は、異なる無線ＬＡＮ基地局装置との間に形成されたデータトンネルにトンネルグループ識別情報を付加し当該トンネルグループ識別情報に応じた仮想ＬＡＮを形成する。
【０２１８】
こうすることにより、複数のデータトンネルをグループ化できるので、データトンネル
よりも大きな単位（仮想ＬＡＮ）での制御を容易に行うことができる。
【０２１９】
本発明の通信システムの第１の態様は、無線ＬＡＮ基地局装置と、前記無線ＬＡＮ基地局装置との間に複数のデータトンネルを形成するトンネル形成管理手段と、送信データの種別に応じて前記データトンネルを使い分けて送信する制御手段と、を具備する無線ＬＡＮ基地局制御装置と、を具備する構成を採る。
【０２２０】
この構成によれば、例えば、制御用データと制御用データ以外のデータとにおいて、データトンネルを使い分けることにより、制御用データが送信先である無線ＬＡＮ基地局装置に到達する確実性が増す結果、ＡＰ制御装置と無線ＬＡＮ基地局装置との間の制御の確実性が増す。そのため、通信システムにおける通信の安定性、安全性を向上することができる。
【０２２１】
本発明の通信システムの第２の態様は、前記トンネル形成管理手段が、前記無線ＬＡＮ基地局装置の基地局ＭＡＣアドレスと自装置の制御局ＭＡＣアドレスとにより規定される第１のデータトンネルの他に、前記基地局ＭＡＣアドレス以外の前記無線ＬＡＮ基地局装置の基地局識別情報と前記制御局ＭＡＣアドレスとにより第２のデータトンネルを形成する構成を採る。
【０２２２】
この構成によれば、無線ＬＡＮ基地局装置と無線ＬＡＮ基地局制御装置との間に論理的に分離された複数のデータトンネルを形成することができる。
【０２２３】
本発明の通信システムの第３の態様は、前記トンネル形成管理手段が、前記基地局識別情報として、ＢＳＳＩＤを利用する構成を採る。
【０２２４】
この構成によれば、無線ＬＡＮ基地局装置との間で通信を行う通信端末装置に割り当てられるＢＳＳＩＤを、そのまま無線ＬＡＮ基地局装置の基地局識別情報（例えば、ＭＡＣアドレス）として利用することで、通信端末装置に割り当てられるＢＳＳＩＤが決まれば、その通信端末装置に送受信される送信データが通るデータトンネルが一義的に決定される。
【０２２５】
本発明の通信システムの第４の態様は、前記制御手段が、制御データを前記第１のデータトンネルを用いて送信し、前記送信データ以外のデータを前記第２のデータトンネルを用いて送信する構成を採る。
【０２２６】
この構成によれば、制御用データと制御用データ以外のデータとにおいて、データトンネルを使い分けることにより、制御用データが送信先である無線ＬＡＮ基地局装置に到達する確実性が増す結果、ＡＰ制御装置と無線ＬＡＮ基地局装置との間の制御の確実性が増す。そのため、通信システムにおける通信の安定性、安全性を向上することができる。
【０２２７】
本発明の通信システムの第５の態様は、前記トンネル形成管理手段が、データトンネル識別情報に応じた前記複数のデータトンネルを形成する構成を採る。
【０２２８】
この構成によれば、無線ＬＡＮ基地局装置と無線ＬＡＮ基地局制御装置との間に論理的に分離された複数のデータトンネルを形成することができる。
【０２２９】
本発明の通信システムの第６の態様は、前記無線ＬＡＮ基地局装置を複数備え、前記トンネル形成管理手段は、異なる前記無線ＬＡＮ基地局装置との間に形成されたデータトンネルにトンネルグループ識別情報を付加し当該トンネルグループ識別情報に応じた仮想ＬＡＮを形成する構成を採る。
【０２３０】
この構成によれば、複数のデータトンネルをグループ化できるので、データトンネルよりも大きな単位（仮想ＬＡＮ）での制御を容易に行うことができる。
【０２３１】
本発明の無線ＬＡＮ基地局制御装置の第１の態様は、複数のデータトンネルを形成するトンネル形成管理手段と、送信データの種別に応じて前記データトンネルを使い分けて送信する制御手段と、を具備する構成を採る。
【０２３２】
この構成によれば、例えば、制御用データと制御用データ以外のデータとにおいて、データトンネルを使い分けることにより、制御用データが送信先に到達する確実性が増す結果、通信の安定性、安全性を向上することができる。
【０２３３】
本発明の無線ＬＡＮ基地局制御装置の第２の態様は、前記トンネル形成管理手段が、前記無線ＬＡＮ基地局装置の基地局ＭＡＣアドレスと自装置の制御局ＭＡＣアドレスとにより規定される第１のデータトンネルの他に、前記基地局ＭＡＣアドレス以外の前記無線ＬＡＮ基地局装置の基地局識別情報と前記制御局ＭＡＣアドレスとにより第２のデータトンネルを形成する構成を採る。
【０２３４】
この構成によれば、無線ＬＡＮ基地局装置と無線ＬＡＮ基地局制御装置との間に論理的に分離された複数のデータトンネルを形成することができる。
【０２３５】
本発明の無線ＬＡＮ基地局制御装置の第３の態様は、前記トンネル形成管理手段が、前記基地局識別情報として、ＢＳＳＩＤを利用する構成を採る。
【０２３６】
この構成によれば、無線ＬＡＮ基地局装置との間で通信を行う通信端末装置に割り当てられるＢＳＳＩＤを、そのまま無線ＬＡＮ基地局装置の基地局識別情報（例えば、ＭＡＣアドレス）として利用することで、通信端末装置に割り当てられるＢＳＳＩＤが決まれば、その通信端末装置に送受信される送信データが通るデータトンネルが一義的に決定される。
【０２３７】
本発明の無線ＬＡＮ基地局制御装置の第４の態様は、前記制御手段が、制御データを前記第１のデータトンネルを用いて送信し、前記送信データ以外のデータを前記第２のデータトンネルを用いて送信する構成を採る。
【０２３８】
この構成によれば、制御用データと制御用データ以外のデータとにおいて、データトンネルを使い分けることにより、制御用データが送信先である無線ＬＡＮ基地局装置に到達する確実性が増す結果、ＡＰ制御装置と無線ＬＡＮ基地局装置との間の制御の確実性が増す。そのため、通信システムにおける通信の安定性、安全性を向上することができる。
【０２３９】
本発明の無線ＬＡＮ基地局制御装置の第５の態様は、前記トンネル形成管理手段が、データトンネル識別情報に応じた前記複数のデータトンネルを形成する構成を採る。
【０２４０】
この構成によれば、論理的に分離された複数のデータトンネルを形成することができる。
【０２４１】
本発明の無線ＬＡＮ基地局制御装置の第６の態様は、前記トンネル形成管理手段は、異なる無線ＬＡＮ基地局装置との間に形成されたデータトンネルにトンネルグループ識別情報を付加し当該トンネルグループ識別情報に応じた仮想ＬＡＮを形成する構成を採る。
【０２４２】
この構成によれば、複数のデータトンネルをグループ化できるので、データトンネルよりも大きな単位（仮想ＬＡＮ）での制御を容易に行うことができる。
【０２４３】
本発明の無線ＬＡＮ基地局装置の第１の態様は、複数のデータトンネルを形成するトンネル形成管理手段と、送信データの種別に応じて前記データトンネルを使い分けて送信する制御手段と、を具備する構成を採る。
【０２４４】
この構成によれば、例えば、制御用データと制御用データ以外のデータとにおいて、データトンネルを使い分けることにより、制御用データが送信先に到達する確実性が増す結果、通信の安定性、安全性を向上することができる。
【０２４５】
本発明の無線ＬＡＮ基地局装置の第２の態様は、前記トンネル形成管理手段は、自装置の基地局ＭＡＣアドレスと制御局ＭＡＣアドレスとにより規定される第１のデータトンネルの他に、前記基地局ＭＡＣアドレス以外の基地局識別情報と前記制御局ＭＡＣアドレスとにより第２のデータトンネルを形成する構成を採る。
【０２４６】
この構成によれば、無線ＬＡＮ基地局装置と無線ＬＡＮ基地局制御装置との間に論理的に分離された複数のデータトンネルを形成することができる。
【０２４７】
本発明の無線ＬＡＮ基地局装置の第３の態様は、前記トンネル形成管理手段は、前記基地局識別情報として、ＢＳＳＩＤを利用する構成を採る。
【０２４８】
この構成によれば、無線ＬＡＮ基地局装置との間で通信を行う通信端末装置に割り当てられるＢＳＳＩＤを、そのまま無線ＬＡＮ基地局装置の基地局識別情報（例えば、ＭＡＣアドレス）として利用することで、通信端末装置に割り当てられるＢＳＳＩＤが決まれば、その通信端末装置に送受信される送信データが通るデータトンネルが一義的に決定される。
【０２４９】
本発明の無線ＬＡＮ基地局装置の第４の態様は、前記制御手段は、制御データを前記第１のデータトンネルを用いて送信し、前記送信データ以外のデータを前記第２のデータトンネルを用いて送信する構成を採る。
【０２５０】
この構成によれば、制御用データと制御用データ以外のデータとにおいて、データトンネルを使い分けることにより、制御用データが送信先である無線ＬＡＮ基地局装置に到達する確実性が増す結果、ＡＰ制御装置と無線ＬＡＮ基地局装置との間の制御の確実性が増す。そのため、通信システムにおける通信の安定性、安全性を向上することができる。
【０２５１】
本発明の無線ＬＡＮ基地局装置の第５の態様は、前記トンネル形成管理手段は、データトンネル識別情報に応じた前記複数のデータトンネルを形成する構成を採る。
【０２５２】
この構成によれば、論理的に分離された複数のデータトンネルを形成することができる。
【産業上の利用可能性】
【０２５３】
本発明に係る通信システム、無線ＬＡＮ基地局制御装置および無線ＬＡＮ基地局装置は、無線ＬＡＮ基地局制御装置と無線ＬＡＮ基地局装置との間に複数のデータトンネルを形成し、かつ、フレームの種別に応じてデータトンネルを使い分けることにより、無線ＬＡＮ基地局制御装置と無線ＬＡＮ基地局装置との間の制御の確実性を増し、通信の安定性および安全性を向上することができるという効果を有し、無線ＬＡＮ通信システム、これを構築するアクセスポイント制御装置およびアクセスポイントに有効である。
【図面の簡単な説明】
【０２５４】
【図１】本発明の実施の形態１に係る通信システムの全体構成図
【図２】図１のＡＰ制御装置と無線ＬＡＮ基地局装置との間に形成されるデータトンネルを説明するための図
【図３】図１のＡＰ制御装置の構成を示すブロック図
【図４】図３のトンネル管理データベース部が保持するテーブルを説明するための図（ａ）ＡＰ制御トンネルテーブル（ｂ）データフレーム用トンネルテーブル（ｃ）データフレーム用対応テーブル
【図５】図３のトンネル作成管理部の動作を説明するためのフロー図
【図６】図１の無線ＬＡＮ基地局装置の構成を示すブロック図
【図７】図６のトンネル管理データベース部が保持するテーブルを説明するための図（ａ）ＡＰ制御用トンネルテーブル（ｂ）データフレーム用トンネルテーブル
【図８】図６のトンネル作成管理部の動作を説明するためのフロー図
【図９】図１の通信システムにおいて行われるトンネル作成を説明するシーケンス図
【図１０】図９のシーケンス図におけるステップの詳細を説明するためのフロー図
【図１１】図９のシーケンス図におけるステップの詳細を説明するためのフロー図
【図１２】図９のシーケンス図におけるステップの詳細を説明するためのフロー図
【図１３】図９のシーケンス図におけるステップの詳細を説明するためのフロー図
【図１４】図９のシーケンス図におけるステップの詳細を説明するためのフロー図
【図１５】ＡＰ制御用フレームおよびデータフレームの構成を説明するための図
【図１６】実施の形態２に係る通信システムの全体構成図
【図１７】図１６のＡＰ制御装置と無線ＬＡＮ基地局装置との間に形成されるデータトンネルを説明するための図
【図１８】図１６のＡＰ制御装置の構成を示すブロック図
【図１９】図１８のトンネル管理データベース部が保持するテーブルを説明するための図（ａ）ＡＰ制御トンネルテーブル（ｂ）データフレーム用トンネルテーブル（ｃ）データフレーム用対応テーブル
【図２０】ＡＰ制御用フレームおよびデータフレームの構成を説明するための図
【図２１】図１６の無線ＬＡＮ基地局装置の構成を示すブロック図
【図２２】図２１のトンネル管理データベース部が保持するテーブルを説明するための図（ａ）ＡＰ制御用トンネルテーブル（ｂ）データフレーム用トンネルテーブル
【図２３】実施の形態３に係る通信システムの全体構成図
【図２４】図２３のＡＰ制御装置と無線ＬＡＮ基地局装置との間に形成されるデータトンネルを説明するための図
【図２５】図２３のＡＰ制御装置の構成を示すブロック図
【図２６】図２５のトンネル管理データベース部が保持するテーブルを説明するための図（ａ）ＡＰ制御トンネルテーブル（ｂ）データフレーム用トンネルテーブル（ｃ）データフレーム用対応テーブル（ｄ）グループ対応テーブル
【図２７】図２５のスイッチング部の動作を説明するためのフロー図
【図２８】図２５のトンネル作成管理部の動作を説明するためのフロー図
【図２９】図２３の無線ＬＡＮ基地局装置の構成を示すブロック図
【図３０】図２９のトンネル管理データベース部が保持するテーブルを説明するための図（ａ）ＡＰ制御用トンネルテーブル（ｂ）データフレーム用トンネルテーブル
【図３１】図２９のトンネル作成管理部の動作を説明するためのフロー図
【図３２】実施の形態４に係る通信システムの全体構成図
【図３３】図３２のＡＰ制御装置と無線ＬＡＮ基地局装置との間に形成されるデータトンネルを説明するための図
【図３４】図３２のＡＰ制御装置の構成を示すブロック図
【図３５】図３４のトンネル管理データベース部が保持するテーブルを説明するための図（ａ）ＡＰ制御トンネルテーブル（ｂ）データフレーム用トンネルテーブル（ｃ）データフレーム用対応テーブル（ｄ）グループ対応テーブル
【図３６】図３２の無線ＬＡＮ基地局装置の構成を示すブロック図
【図３７】図３６のトンネル管理データベース部が保持するテーブルを説明するための図（ａ）ＡＰ制御用トンネルテーブル（ｂ）データフレーム用トンネルテーブル
【図３８】図３６のトンネル作成管理部の動作を説明するためのフロー図
【符号の説明】
【０２５５】
１０、１０Ａ、３０、７０  通信システム
２０  コアネットワークシステム
１００、５００、８００、１１００  ＡＰ制御装置
１０１、２０１、８０１、９０１、１１０１、１２０１  網側入出力部
１０２、８０２、１１０２  スイッチング部
１０３、２０６、８０３、９０６、１１０３、１２０６  ＡＰ管理部
１０４、２０２、５０１、６０１、８０４、９０２、１１０４、１２０２  トンネル作成管理部
１０５、２０３、５０２、６０２、８０５、９０３、１１０５、１２０３  トンネル管理データベース部
１０６、２０５、８０６、９０５、１１０６、１２０５  端末側入出力部
２００、６００、９００、１２００  無線ＬＡＮ基地局装置
２０４、９０４、１２０４  フレーム転送部
３００  通信端末装置
４０、５０、６０、４００、７００、１０００  ネットワークシステム
【図１】
2006050520.tif 000003
【図２】
2006050520.tif 000004
【図３】
2006050520.tif 000005
【図４】
2006050520.tif 000006
【図５】
2006050520.tif 000007
【図６】
2006050520.tif 000008
【図７】
2006050520.tif 000009
【図８】
2006050520.tif 000010
【図９】
2006050520.tif 000011
【図１０】
2006050520.tif 000012
【図１１】
2006050520.tif 000013
【図１２】
2006050520.tif 000014
【図１３】
2006050520.tif 000015
【図１４】
2006050520.tif 000016
【図１５】
2006050520.tif 000017
【図１６】
2006050520.tif 000018
【図１７】
2006050520.tif 000019
【図１８】
2006050520.tif 000020
【図１９】
2006050520.tif 000021
【図２０】
2006050520.tif 000022
【図２１】
2006050520.tif 000023
【図２２】
2006050520.tif 000024
【図２３】
2006050520.tif 000025
【図２４】
2006050520.tif 000026
【図２５】
2006050520.tif 000027
【図２６】
2006050520.tif 000028
【図２７】
2006050520.tif 000029
【図２８】
2006050520.tif 000030
【図２９】
2006050520.tif 000031
【図３０】
2006050520.tif 000032
【図３１】
2006050520.tif 000033
【図３２】
2006050520.tif 000034
【図３３】
2006050520.tif 000035
【図３４】
2006050520.tif 000036
【図３５】
2006050520.tif 000037
【図３６】
2006050520.tif 000038
【図３７】
2006050520.tif 000039
【図３８】
2006050520.tif 000040